(57)【要約】  ワイヤレス通信環境中でＲＦチャネルをモニタリングして、１つ以上のチャネルがフォワードリンクオンリー（ＦＬＯ）信号を含むか否かを決定することを容易にするシステムおよび方法を記述する。受信機は、ＦＬＯ信号を有する最初のＲＦチャネルを受け取り、ＦＬＯ信号に対する他のＲＦチャネルを監視できる。監視されたＲＦチャネルがＦＬＯ信号を含むとの終了時に、受信機は、最初のＲＦチャネルと監視されたＲＦチャネルとの間で切り替えて、現在のＭＬＣデコーディング状態に関する情報を使用して、ＦＬＯ信号のシームレス受け取りを提供することを容易にすることができ、ＲＦチャネル間で同期化されたスーパーフレームである。ＦＬＯ信号検出は、ワイドエリア識別チャネルエネルギー検出プロトコルおよびワイドエリアオーバーヘッド情報シンボルデコーディングエラー検出プロトコルうちの１つ以上を使用して実行できる。【選択図】    図７
2010534984.tif 000002
【特許請求の範囲】
【請求項１】
ワイヤレス通信環境中のアクセス端末において、無線周波数をモニタリングおよび無線周波数間で切り替える方法であって、
現在のチャネルに対する信号品質を測定することと、
前記測定された信号品質が、予め定められたしきい値よりもより上であるか否かを決定することと、
少なくとも１つの隣接チャネルの信号品質を監視することと、
前記現在のチャネルの信号品質と、前記少なくとも１つの隣接チャネルの信号品質とに少なくとも部分的に基づいて、ハンドオフフラグを発生させることとを含む方法。
【請求項２】
前記信号品質は、受信信号強度インジケータ（ＲＳＳＩ)、信号対干渉プラスノイズ比またはサイクリックプレフィックス（ＣＰ）相関のうちの少なくとも１つを含む請求項１記載の方法。
【請求項３】
測定されたＲＳＳＩが、前記予め定められたしきい値よりもより上である場合、ＲＦモニタリングをディセーブルすることとをさらに含む請求項１記載の方法。
【請求項４】
前記測定されたＲＳＳＩが、前記予め定められたしきい値よりもより低い、または、前記予め定められたしきい値に等しい場合、ＲＦモニタリングをイネーブルすることをさらに含む請求項１記載の方法。
【請求項５】
１つ以上のメディアＦＬＯ論理チャネル（ＭＬＣ）セグメント失敗が生じているか否かを決定することをさらに含む請求項１記載の方法。
【請求項６】
ＭＬＣ失敗が生じていなかった場合、ＲＦモニタリングサブルーチンを実行することをさらに含む請求項５記載の方法。
【請求項７】
ＭＬＣ失敗がないことが検出された場合、ＲＦルックアップテーブルを更新することと、ハンドオフフラグ発生サブルーチンを実行することとをさらに含む請求項６記載の方法。
【請求項８】
関係するアクセス端末が新しいＲＦにハンドオフされることになることを示す、ハンドオフフラグが存在するか否かを決定することをさらに含む請求項７記載の方法。
【請求項９】
宛先ＲＦと、宛先ワイドエリア識別子と、宛先ローカルエリア識別子とのうちの少なくとも１つへと、前記アクセス端末をハンドオフすることをさらに含む請求項８記載の方法。
【請求項１０】
ＭＬＣの失敗時にタイムアウト論理を開始することをさらに含む請求項５記載の方法。
【請求項１１】
ＲＦモニタリングをイネーブルすることと、前記１つ以上のＭＬＣセグメントに対するＯＩＳ情報を取得することとをさらに含む請求項１０記載の方法。
【請求項１２】
ＲＦモニタリングサブルーチンを開始することをさらに含む請求項１１記載の方法。
【請求項１３】
１つ以上のＭＬＣ失敗が検出された場合、ＲＦルックアップテーブルを更新することと、ハンドオフフラグ発生サブルーチンを実行することとをさらに含む請求項１２記載の方法。
【請求項１４】
関係するアクセス端末が新しいＲＦにハンドオフされることになることを示す、ハンドオフフラグが存在するか否かを決定することをさらに含む請求項１３記載の方法。
【請求項１５】
宛先ＲＦと、宛先ワイドエリア識別子と、宛先ローカルエリア識別子とのうちの少なくとも１つへと、前記アクセス端末をハンドオフすることをさらに含む請求項１４記載の方法。
【請求項１６】
ＯＩＳ失敗が生じているか否かを決定することをさらに含む請求項１記載の方法。
【請求項１７】
ＯＩＳ失敗が検出されなかった場合、バックグラウンドＲＦモニタリングプロトコルを開始することをさらに含む請求項１６記載の方法。
【請求項１８】
ＯＩＳ失敗が検出された場合、ＯＩＳ失敗タイムアウト論理を実現することをさらに含む請求項１６記載の方法。
【請求項１９】
監視されるＲＦに関連する情報を有するＲＦルックアップテーブルを更新することをさらに含む請求項１８記載の方法。
【請求項２０】
ＲＦルックアップテーブルにしたがって、現在のＲＦから、最高のＲＳＳＩ値を持つ最適なＲＦへとアクセス端末をハンドオフすることをさらに含む請求項１９記載の方法。
【請求項２１】
ワイヤレス通信環境中のアクセス端末において、無線周波数（ＲＦ）間での切替を促進する装置であって、
少なくとも１つの隣接ＲＦを監視し、それに対するＲＳＳＩを解析する受信機と、
ＲＳＳＩに関連する情報と、現在のＲＦと前記少なくとも１つの隣接ＲＦとに対する識別情報とを記憶するメモリと、
前記メモリに結合され、前記現在のＲＦチャネルと前記少なくとも１つの隣接ＲＦチャネルとの間で切り替えるプロセッサとを具備する装置。
【請求項２２】
前記受信機は、測定されたＲＳＳＩが、予め定められたしきい値よりもより上であるか否かを決定する請求項２１記載の装置。
【請求項２３】
オーバーヘッド情報シンボル（ＯＩＳ）失敗が生じているか否かを決定することと、ＯＩＳが生じている場合、再捕捉プロトコルを開始することとをさらに含む請求項２２記載の装置。
【請求項２４】
前記受信機は、１つ以上のマルチレベルのコード化（ＭＬＣ）セグメント失敗が生じているか否かを決定する請求項２３記載の装置。
【請求項２５】
前記受信機は、ＭＬＣ失敗が生じていなかった場合、ＲＦモニタリングサブルーチンを実行する請求項２４記載の装置。
【請求項２６】
前記プロセッサは、１つ以上のＭＬＣ失敗が検出された場合、ＲＦルックアップテーブルを更新し、ハンドオフフラグ発生サブルーチンを実行する請求項２４記載の装置。
【請求項２７】
前記プロセッサは、前記ハンドオフフラグによって識別される、宛先ＲＦと、宛先ワイドエリア識別子と、宛先ローカルエリア識別子とのうちの少なくとも１つに切り替える請求項２６記載の装置。
【請求項２８】
ワイヤレス通信装置であって、
現在のチャネルに対する信号品質を測定する手段と、
前記測定された信号品質が、予め定められたしきい値よりもより上であるか否かを決定する手段と、
少なくとも１つの隣接チャネルの信号品質を監視する手段と、
前記現在のチャネルの信号品質と、前記少なくとも１つの隣接チャネルの信号品質とに少なくとも部分的に基づいて、ハンドオフフラグを発生させる手段とを具備するワイヤレス通信装置。
【請求項２９】
前記信号品質は、受信信号強度インジケータ（ＲＳＳＩ)、信号対干渉プラスノイズ比またはサイクリックプレフィックス（ＣＰ）相関のうちの少なくとも１つを含む請求項２８記載の装置。
【請求項３０】
測定されたＲＳＳＩが、前記予め定められたしきい値よりもより上である場合、ＲＦモニタリングをディセーブルし、前記測定されたＲＳＳＩが、前記予め決められたしきい値よりもより低い、または、前記予め決められたしきい値に等しい場合、ＲＦモニタリングをイネーブルする手段をさらに具備する請求項２８記載の装置。
【請求項３１】
１つ以上のマルチレベルコード化された（ＭＬＣ）セグメント失敗が生じているか否かを決定する手段をさらに具備する請求項２８記載の装置。
【請求項３２】
ＭＬＣ失敗が生じていなかった場合、「ＭＬＣ成功」ＲＦモニタリングサブルーチンを実行する手段をさらに具備する請求項３１記載の装置。
【請求項３３】
１つ以上のＭＬＣ失敗が検出された場合、ＲＦルックアップテーブルを更新し、前記アクセス端末の、新しいＲＦへの間近なハンドオフを示すハンドオフフラグを発生させる手段をさらに具備する請求項３２記載の装置。
【請求項３４】
前記ハンドオフフラグによって識別される、宛先ＲＦと、宛先ワイドエリア識別子と、宛先ローカルエリア識別子とのうちの少なくとも１つへと、前記アクセス端末をハンドオフする手段をさらに具備する請求項３３記載の装置。
【請求項３５】
ＭＬＣ失敗時にタイムアウト論理を開始する手段と、ＲＦモニタリングをイネーブルする手段と、前記１つ以上のＭＬＣセグメントに対するＯＩＳ情報を取得する手段とをさらに具備する請求項３１記載の装置。
【請求項３６】
１つ以上の失敗が検出された場合、ＲＦモニタリングサブルーチンを開始する手段と、ＲＦルックアップテーブルを更新する手段と、関係するアクセス端末が新しいＲＦへとハンドオフされることになることを示すハンドオフフラグを発生させる手段とをさらに具備する請求項３５記載の装置。
【請求項３７】
前記ハンドオフフラグによって識別される、宛先ＲＦと、宛先ワイドエリア識別子と、宛先ローカルエリア識別子とのうちの少なくとも１つへと、前記アクセス端末をハンドオフする手段をさらに具備する請求項２８記載の装置。
【請求項３８】
ＯＩＳ失敗が生じているか否かを決定する手段をさらに具備する請求項２８記載の装置。
【請求項３９】
ＯＩＳ失敗が生じていなかった場合、バックグラウンドＲＦモニタリングプロトコルを
開始する手段をさらに具備する請求項３８記載の装置。
【請求項４０】
ＯＩＳ失敗が生じていた場合、ＯＩＳ失敗タイムアウト論理を実現する手段をさらに具備する請求項３８記載の装置。
【請求項４１】
前記監視されたＲＦに関連する情報を有するＲＦルックアップテーブルを更新する手段と、前記ＲＦルックアップテーブルにしたがって、現在のＲＦから、最高のＲＳＳＩ値を持つ最適なＲＦへと、アクセス端末をハンドオフする手段をさらに具備する請求項４０記載の装置。
【請求項４２】
現在のチャネルに対する信号品質を測定するためのコンピュータ実行可能な命令と、
前記測定された信号品質が、予め定められたしきい値よりもより上であるか否かを決定するためのコンピュータ実行可能な命令と、
少なくとも１つの隣接チャネルの信号品質を監視するためのコンピュータ実行可能な命令と、
前記現在のチャネルの信号品質と、前記少なくとも１つの隣接チャネルの信号品質とに少なくとも部分的に基づいて、ハンドオフフラグを発生させるためのコンピュータ実行可能な命令とを含むコンピュータプログラムを有するコンピュータ読み取り可能媒体。
【請求項４３】
前記信号品質は、受信信号強度インジケータ（ＲＳＳＩ)、信号対干渉プラスノイズ比またはサイクリックプレフィックス（ＣＰ）相関のうちの少なくとも１つを含む請求項４２記載のコンピュータ読み取り可能媒体。
【請求項４４】
測定されたＲＳＳＩが、前記予め定められたしきい値よりもより上であった場合、ＲＦモニタリングをディセーブルするための命令と、
前記測定されたＲＳＳＩが、前記予め定められたしきい値よりもより低い、または、前記予め定められたしきい値に等しい場合、ＲＦモニタリングをイネーブルするための命令とをさらに含む請求項４２記載のコンピュータ読み取り可能媒体。
【請求項４５】
１つ以上のマルチレベルコード化（ＭＬＣ）セグメント失敗が生じているか否かを決定するための命令をさらに含む請求項４２記載のコンピュータ読み取り可能媒体。
【請求項４６】
ＭＬＣ失敗が生じていなかった場合、「ＭＬＣ成功」ＲＦモニタリングサブルーチンを実行するための命令をさらに含む請求項４５記載のコンピュータ読み取り可能媒体。
【請求項４７】
１つ以上のＭＬＣ失敗が検出された場合、ＲＦルックアップテーブルを更新し、前記アクセス端末の、新しいＲＦへの間近なハンドオフを示すハンドオフフラグを発生させるための命令をさらに含む請求項４６記載のコンピュータ読み取り可能媒体。
【請求項４８】
前記ハンドオフフラグによって識別される、宛先ＲＦと、宛先ワイドエリア識別子と、宛先ローカルエリア識別子とのうちの少なくとも１つへと、前記アクセス端末をハンドオフするための命令をさらに含む請求項４７記載のコンピュータ読み取り可能媒体。
【請求項４９】
ＭＬＣ失敗時にタイムアウト論理を開始するための命令と、ＲＦモニタリングをイネーブルするための命令と、前記１つ以上のＭＬＣセグメントに対するＯＩＳ情報を取得するための命令とをさらに含む請求項４５記載のコンピュータ読み取り可能媒体。
【請求項５０】
１つ以上のＭＬＣ失敗が検出された場合、ＲＦモニタリングサブルーチンを開始するための命令と、ＲＦルックアップテーブルを更新するための命令と、関係するアクセス端末が新しいＲＦ端末へとハンドオフされることになることを示すハンドオフフラグを発生させる命令とをさらに含む請求項４９記載のコンピュータ読み取り可能媒体。
【請求項５１】
前記ハンドオフフラグによって示される、宛先ＲＦと、宛先ワイドエリア識別子と、宛先ローカルエリア識別子とのうちの少なくとも１つへと、前記アクセス端末をハンドオフするための命令をさらに含む請求項５０記載のコンピュータ読み取り可能媒体。
【請求項５２】
ＯＩＳ失敗が生じているか否かを決定するための命令をさらに含む請求項４２記載のコンピュータ読み取り可能媒体。
【請求項５３】
ＯＩＳ失敗が生じていなかった場合、バックグラウンドＲＦモニタリングプロトコルを開始するための命令をさらに含む請求項５２記載のコンピュータ読み取り可能媒体。
【請求項５４】
ＯＩＳ失敗が生じていた場合、ＯＩＳ失敗タイムアウト論理を実現するための命令をさらに含む請求項５２記載のコンピュータ読み取り可能媒体。
【請求項５５】
前記監視されたＲＦに関連する情報を有するＲＦルックアップテーブルを更新するための命令と、前記ＲＦルックアップテーブルにしたがって、現在のＲＦから、最高のＲＳＳＩ値を持つ最適なＲＦへと、アクセス端末をハンドオフするための命令とをさらに含む請求項５４記載のコンピュータ読み取り可能媒体。
【請求項５６】
ワイヤレス通信環境におけるスループットを増加させるための命令を実行するプロセッサであって、
前記命令は、
現在のチャネルに対する信号品質を測定することと、
前記測定された信号品質が、予め定められたしきい値よりもより上であるか否かを決定することと、
少なくとも１つの隣接チャネルの信号品質を監視することと、
デコーダエラーレートに、または、前記現在のチャネルの信号品質と前記少なくとも１つの隣接チャネルの信号品質とに少なくとも部分的に基づいて、ハンドオフフラグを発生させることとを含むプロセッサ。
【請求項５７】
前記信号品質は、受信信号強度インジケータ（ＲＳＳＩ)、信号対干渉プラスノイズ比またはサイクリックプレフィックス（ＣＰ）相関のうちの少なくとも１つを含む請求項５６記載のプロセッサ。
【請求項５８】
前記命令は、測定されたＲＳＳＩが、前記予め定められたしきい値よりもより上である場合、ＲＦモニタリングをディセーブルすることと、前記測定されたＲＳＳＩが、前記予め定められたしきい値よりもより低い、または、前記予め定められたしきい値に等しい場合、ＲＦモニタリングをイネーブルすることとをさらに含む請求項５６記載のプロセッサ。
【請求項５９】
前記命令は、１つ以上のマルチレベルコード化（ＭＬＣ）セグメント失敗が生じているか否かを決定することをさらに含む請求項５６記載のプロセッサ。
【請求項６０】
前記命令は、ＭＬＣ失敗が生じていなかった場合、「ＭＬＣ成功」ＲＦモニタリングサブルーチンを実行することをさらに含む請求項５９記載のプロセッサ。
【請求項６１】
前記命令は、１つ以上のＭＬＣ失敗が検出された場合、ＲＦルックアップテーブルを更新し、前記アクセス端末の、新しいＲＦへの間近なハンドオフを示すハンドオフフラグを発生させることをさらに含む請求項６０記載のプロセッサ。
【請求項６２】
前記命令は、前記ハンドオフフラグによって識別される、宛先ＲＦと、宛先ワイドエリア識別子と、宛先ローカルエリア識別子とのうちの少なくとも１つへと、前記アクセス端末をハンドオフすることをさらに含む請求項６１記載のプロセッサ。
【請求項６３】
前記命令は、ＭＬＣ失敗時にタイムアウト論理を開始することと、ＲＦモニタリングをイネーブルにすることと、前記１つ以上のＭＬＣセグメントに対するＯＩＳ情報を取得することとをさらに含む請求項５９記載のプロセッサ。
【請求項６４】
前記命令は、１つ以上のＭＬＣ失敗が検出された場合、ＲＦモニタリングサブルーチンを開始することと、ＲＦルックアップテーブルを更新することと、前記関係するアクセス端末が新しいＲＦにハンドオフされることになることを示すハンドオフフラグを発生させることとをさらに含む請求項６３記載のプロセッサ。
【請求項６５】
前記命令は、ハンドオフフラグによって示される、宛先ＲＦと、宛先ワイドエリア識別子と、宛先ローカルエリア識別子とのうちの少なくとも１つへと、前記アクセス端末をハンドオフすることをさらに含む請求項６４記載のプロセッサ。
【請求項６６】
前記命令は、ＯＩＳ失敗が生じているか否かを決定することをさらに含む請求項５６記載のプロセッサ。
【請求項６７】
前記命令は、ＯＩＳ失敗が生じていなかった場合、バックグラウンドＲＦプロトコルを開始することをさらに含む請求項６６記載のプロセッサ。
【請求項６８】
前記命令は、ＯＩＳ失敗が生じていた場合、ＯＩＳ失敗タイムアウト論理を実現することをさらに含む請求項６６記載のプロセッサ。
【請求項６９】
前記命令は、前記監視されたＲＦに関する情報を有するＲＦルックアップテーブルを更新することと、前記ＲＦルックアップテーブルにしたがって、現在のＲＦから、最高のＲＳＳＩ値を持つ最適ＲＦへと、前記アクセス端末をハンドオフすることとをさらに含む請求項６８記載のプロセッサ。
【発明の詳細な説明】
【背景】
【０００１】
Ｉ．分野
以下の記述は、一般的に、ワイヤレス通信に関する。さらに詳細に述べると、ワイヤレス通信環境における無線周波数チャネルのモニタリングおよび切り替えに関する。
【０００２】
ＩＩ．背景
ワイヤレス通信システムは一般的な手段になり、これにより、世界中の大多数の人々が通信するようになった。消費者のニーズを満たし、かつ可搬性および便宜性を向上させるために、ワイヤレス通信デバイスは、より小さくなり、より高性能になった。セルラ電話機のような移動体デバイスにおける処理能力の増加は、ワイヤレスネットワーク送信システムの需要の増加に至った。一般的に、このようなシステムは、それを通して通信するセルラデバイスほど容易に更新されない。移動体デバイス能力が拡張されたことから、新しくて改良されたワイヤレスデバイス能力の完全な活用を助けるやり方で、古いワイヤレスネットワークシステムを維持することは難しい。
【０００３】
（例えば、周波数、時間、およびコード分割技術を使用している）一般的なワイヤレス通信ネットワークは、カバレージエリアを提供する１つ以上の基地局と、カバレージエリア内でデータを送信および受信することができる１つ以上の移動体（例えば、ワイヤレス）端末とを備えている。一般的な基地局は、ブロードキャスト、マルチキャスト、および／またはユニキャストサービスのために、複数のデータストリームを同時に送信することができ、データストリームは、移動体端末の関心とは独立した受信であり得るデータのストリームである。その基地局のカバレージエリア内の移動端末は、合成ストリームによって伝えられる１つのデータストリーム、１つより多いストリーム、またはすべてのデータストリームを受け取ることに関心がある。同様に、移動体端末は、基地局または別の移動端末にデータを送信する。チャネル変化および／または干渉電力変化が原因で、基地局と移動体端末との間のこのような通信または移動端末間の通信の品質が下がる可能性がある。
【０００４】
現在、例えば、低い方の７００ＭＨｚ周波数帯域において６ＭＨｚ帯域幅部分を占有している無線周波数（ＲＦ）チャネルを通して、フォワードリンクオンリー（ＦＬＯ）信号をユーザデバイスに送信することができる。例えば、コンテンツの複数のストリームに適応するために、１つより多いＲＦチャネルでＦＬＯ信号が存在することがある。しかしながら、従来のワイヤレスシステムは、ＦＬＯ信号およびこれに類するものを含む複数のＲＦチャネルをモニタリング、ならびに／あるいは、ＦＬＯ信号およびこれに類するものを含む複数のＲＦチャネル間で切り替えを行わない。したがって、このようなワイヤレスネットワークシステムにおけるスループットを向上させるシステムおよび／または方法が技術的に必要性がある。
【概要】
【０００５】
以下では、この実施形態の基本的な理解を提供するために、１つ以上の実施形態の簡略化した概要を示している。この概要は、すべて検討した実施形態の多彩な概略ではなく、すべての実施形態の重要なまたは不可欠なエレメントを識別することにも、何らかの実施形態またはすべての実施形態の範囲を詳細に述べることにも向けられていない。この唯一の目的は、後に示す詳細な説明の前置きとして、１つ以上の実施形態のうちのいくつかの概念を簡単な形態で示すことである。
【０００６】
１つ以上の実施形態およびこれに対応する開示にしたがって、ワイヤレス通信環境におけるＲＦチャネルをモニタリングして、１つ以上のチャネルがフォーワードリンクオンリー（ＦＬＯ）信号を含むか否かを決定することに関して、さまざまな観点を記述する。受信機は、ＦＬＯ信号を有する最初のＲＦチャネルを受信し、ＦＬＯ信号に対する１つ以上の他のＲＦチャネルを監視することができる。監視されたＲＦチャネルがＦＬＯ信号を含むとの決定時に、受信機は、最初のＲＦチャネルと監視されたチャネルとの間で切り替えて、ＦＬＯ信号のシームレスな受信を提供することを容易にすることができ、ＦＬＯ信号は、ＲＦチャネル間で同期化されたスーパーフレームとなり得る。ワイドエリア識別チャネルエネルギー検出プロトコルおよびワイドエリアオーバーヘッド情報シンボルデコーディングエラー検出プロトコルのうちの１つ以上のものを使用して、ＦＬＯ信号検出が実行されてもよい。ＦＬＯ検出は、サイクリックプレフィックス（ＣＰ）相関プロトコルまたは時間分割多重化パイロット（ＴＤＭパイロット）検出プロトコルとに基づいていてもよい。
【０００７】
関連する観点にしたがうと、ワイヤレス通信環境中のアクセス端末において、無線周波数をモニタリングおよび無線周波数間で切り替える方法をここで記述する。方法は、現在のチャネルに対する信号品質を測定することを含む。さらに、方法は、測定された信号品質が、予め定められたしきい値よりもより上であるか否かを決定することを含む。さらに、方法は、少なくとも１つの隣接チャネルの信号品質を監視することを含んでいてもよい。さらに、方法は、現在のチャネルの信号品質と、少なくとも１つの隣接チャネルの信号品質とに少なくとも部分的に基づいて、ハンドオフフラグを発生させることとを含んでいてもよい。
【０００８】
別の観点は、ワイヤレス通信装置に関する。ワイヤレス通信装置は、ワイヤレス通信環境中のアクセス端末において、無線周波数（ＲＦ）をモニタリングおよび無線周波数間で切り替えることを容易にすることができる。ワイヤレス通信は、少なくとも１つの隣接ＲＦを監視し、それに対するＲＳＳＩを解析する受信機を備えていてもよい。さらに、ワイヤレス通信装置は、ＲＳＳＩに関連する情報と、現在のＲＦと少なくとも１つの隣接ＲＦとに対する識別情報とを記憶するメモリを備えていてもよい。さらに、ワイヤレス通信装置は、メモリに結合され、現在のＲＦチャネルと少なくとも１つの隣接ＲＦチャネルとの間で切り替えるプロセッサとを備えていてもよい。
【０００９】
さらに別の観点は、ワイヤレス通信装置に関する。ワイヤレス通信装置は、現在のチャネルに対する信号品質を測定する手段と；測定された信号品質が、予め定められたしきい値よりもより上であるか否かを決定する手段と；少なくとも１つの隣接チャネルの信号品質を監視する手段と；現在のチャネルの信号品質と、少なくとも１つの隣接チャネルの信号品質とに少なくとも部分的に基づいて、ハンドオフフラグを発生させる手段とを具備する。
【００１０】
さらに別の観点は、現在のチャネルに対する信号品質を測定するためのコンピュータ実行可能な命令と、測定された信号品質が、予め定められたしきい値よりもより上であるか否かを決定するためのコンピュータ実行可能な命令と、少なくとも１つの隣接チャネルの信号品質を監視するためのコンピュータ実行可能な命令と、現在のチャネルの信号品質と、少なくとも１つの隣接チャネルの信号品質とに少なくとも部分的に基づいて、ハンドオフフラグを発生させるためのコンピュータ実行可能な命令とを含むコンピュータプログラムを有するコンピュータ読み取り可能媒体に関する。
【００１１】
別の観点にしたがうと、プロセッサは、ワイヤレス通信環境におけるスループットを増加させるための命令を実行することができる。命令は、現在のチャネルに対する信号品質を測定することと；測定された信号品質が、予め定められたしきい値よりもより上であるか否かを決定することと；少なくとも１つの隣接チャネルの信号品質を監視することと；デコーダエラーレートに、または、現在のチャネルの信号品質と少なくとも１つの隣接チャネルの信号品質とに少なくとも部分的に基づいて、ハンドオフフラグを発生させることとを含んでいてもよい。
【００１２】
先述の関連した目的の達成のために、詳細な説明および添付した図面とともに、１つ以上の実施形態は、以下で完全に記述した特徴および特許請求の範囲において部分的に指摘した特徴を含む。以下の詳細な説明および図面では、１つ以上の実施形態のいくつかの例示的な観点を詳細に述べた。しかしながら、これらの観点は、ほんの数例のさまざまな方法を示しているにすぎず、ここでは、さまざまな実施形態の原理が使用され、記述した実施形態はこのようなすべての観点および均等物を含むことを意図している。
【図面の簡単な説明】
【００１３】
【図１】図１は、ここで提示したさまざまな実施形態にしたがった、ワイヤレスネットワーク通信システムを図示している。
【図２】図２は、１つ以上の実施形態にしたがった、多元接続ワイヤレス通信システムの図である。
【図３】図３は、さまざまな観点にしたがった、ＦＬＯ信号を検出するための方法の図である。
【図４】図４は、１つ以上の観点にしたがった、ＦＬＯチャネルモニタリングのための高レベル状態遷移図を図示している。
【図５】図５は、ここで述べた１つ以上の観点にしたがった、ワイヤレス通信環境において、ＦＬＯチャネルのモニタリングおよび／またはＦＬＯチャネルに対する切り替えを容易にするユーザデバイスの図である。
【図６】図６は、さまざまな観点にしたがった、ワイヤレス通信環境において複数のＲＦチャネルを提供することを容易にするシステムの図である。
【図７】図７は、ここで記述したさまざまな観点にしたがった、隣接無線周波数のバックグラウンドモニタリングを実行するための方法の図である。
【図８】図８は、１つ以上の観点にしたがった、ワイヤレス通信環境においてＲＦの再捕捉を実行するための方法の図である。
【図９】図９は、ここで記述したさまざまな観点にしたがった、複数のＲＦにわたったハンドオフのタイムラインを図示している。
【図１０】図１０は、１つ以上の観点にしたがった、同じＲＦ内でハンドオフを実行するタイムラインの図である。
【図１１】図１１は、ここで記述したさまざまなシステムおよび方法に関連して使用できるワイヤレスネットワーク環境の図である。
【図１２】図１２は、１つ以上の観点にしたがった、アクセス端末における無線周波数間の切り替えを容易にする装置を図示している。
【詳細な説明】
【００１４】
これから、図面に関連してさまざまな実施形態を記述する。同じ参照番号を用いて、全体を通して同じエレメントを参照する。以下の記述では、説明の目的のために、１つ以上の実施形態の全体的な理解を提供するために、多数の特定の詳細な説明を述べた。しかしながら、これらの特定の詳細な説明がなくても、このような実施形態を実施できることは明らかである。他の例では、１つ以上の実施形態を記述することを容易にするために、よく知られている構造およびデバイスをブロック図の形態で示した。
【００１５】
本出願において使用されているような、「コンポーネント」、「システム」という文言や、これらに類するものは、コンピュータ関連エンティティのことを意味することを意図しており、コンピュータ関連エンティティは、ハードウェア、ソフトウェア、実行中のソフトウェア、ファームウェア、ミドルウェア、マイクロコード、および／またはこれらのものを組み合わせたもののいずれのものであるが、これらのものに限定されない。例えば、コンポーネントは、プロセッサ上で実行しているプロセスや、プロセッサや、オブジェクトや、実行可能ファイルや、実行のスレッドや、プログラムや、および／またはコンピュータであってもよいが、これらに限定されない。１つ以上のコンポーネントは、実行のプロセスおよび／またはスレッド内に存在していてもよく、コンポーネントは、１つのコンピュータ上で局所化および／または２つ以上のコンピュータ間で分散されてもよい。さらに、これらのコンポーネントは、記憶されたさまざまなデータ構造を有するさまざまなコンピュータ読み取り可能媒体から実行することができる。コンポーネントは、１つ以上のデータパケット（例えば、ローカルシステム中の、分散システム中の別のコンポーネントと対話する１つのコンポーネントからのデータ、および／または、インターネットのようなネットワークを通して信号により他のシステムと対話する１つのコンポーネントからのデータ）を有する信号にしたがうような、ローカルおよび／またはリモートプロセスの方法によって通信してもよい。さらに、ここで記述したシステムのコンポーネントは、これに関して記述したさまざまな観点、目的、効果等を実現することを容易にするために、付加的なコンポーネントによって再配列および／または補完されてもよいが、当業者によって正しく認識されるように、所定の図面で述べた正確な構成に限定されない。
【００１６】
さらに、加入者局に関連してさまざまな実施形態をここで記述する。加入者局は、システム、加入者ユニット、移動局、移動体、遠隔局、アクセスポイント、遠隔端末、アクセス端末、ユーザ端末、ユーザエージェント、ユーザデバイス、またはユーザ機器とも呼ばれてもよい。加入者局は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、またはワイヤレスモデムに接続されている他の処理デバイスであってもよい。さらに、ここで使用される「チャネル」という文言は、ＲＦチャネルと、ワイドエリア識別子（ＷＩＤ）チャネルと、ローカルエリア識別（ＬＩＤ）チャネルとを組み合わせたもの、すなわち、（ＲＦ、ＷＩＤ、ＬＩＤ）であってもよい。
【００１７】
さらに、ここで記述するさまざまな観点または特徴は、標準プログラミングおよび／またはエンジニアリング技術を使用している製造業者の方法、装置または、物として実現されてもよい。ここで用いる「物または製造業者」という文言は、何らかのコンピュータ読み取り可能媒体、キャリア、または媒体からアクセス可能なコンピュータプログラムを含むことを意図している。例えば、コンピュータ読み取り可能媒体は、磁気記憶デバイス（例えば、ハードディスク、フロッピー（登録商標）ディスク、磁気ストライプ．．．）や、光ディスク（例えば、コンパクトディスク（ＣＤ）、デジタル汎用性ディスク（ＤＶＤ）．．．）や、スマートカードや、フラッシュメモリデバイス（例えば、カード、スティック、キードライブ．．．）を含んでいてもよいが、これらに限定されない。さらに、ここで記述するさまざまな記憶媒体は、情報を記憶するための１つ以上のデバイスおよび／または他の機械読み取り可能媒体を表すことができる。“機械読み取り可能媒体”という文言は、命令および／またはデータを記憶、含む、および／または伝えることができるさまざまな他の媒体およびワイヤレスチャネルを含んでいてもよいが、これらに限定されない。
【００１８】
これから図１を参照すると、ここで提示するさまざまな実施形態にしたがったワイヤレスネットワーク通信システム１００をここで図示している。システム１００は、１つ以上のセクタにおいて１つ以上の基地局１０２を備えていてもよく、１つ以上の基地局１０２は、互いに対するおよび／または１つ以上の移動体デバイス１０４に対するワイヤレス通信信号を受信し、送信し、中継等する。それぞれの基地局１０２は、送信機チェーンと受信機チェーンとを備えていてもよく、そして、これらのそれぞれは、当業者によって正しく認識されるように、信号送信および受信に関係する複数のコンポーネント（例えば、プロセッサ、変調器、マルチプレクサ、復調器、デマルチプレクサ、アンテナ等）を備えていてもよい。移動体デバイス１０４は、例えば、セルラ電話機、スマート電話機、ラップトップ、ハンドヘルド通信デバイス、ハンドヘルドコンピューティングデバイス、衛星無線、グローバルポジショニングシステム、ＰＤＡ、および／またはワイヤレスネットワーク１００を通して通信するための他の何らかの適切なデバイスであってもよい。後の図面に関して述べたように、ワイヤレス通信環境において、フォワードリンクオンリー（ＦＬＯ）チャネルをモニタリングおよび／またはフォワードリンクオンリー（ＦＬＯ）チャネル間で切り替えることを容易にするために、ここで記述したさまざまな観点に関連して、システム１００が使用されてもよい。
【００１９】
例えば、基地局１０２は、複数の異なるＲＦチャネルを通してＦＬＯ信号を送信することができ、ここで、それぞれの基地局１０２は、１つ以上のＲＦチャネルを使用することができる。さらに、および／または、代替的に、１つより多い基地局１０２によって、同じＲＦチャネルが利用されてもよい。１つ以上の基地局１０２とユーザデバイス１０４との間の通信スループットを向上させるために、ユーザデバイス１０４は、（例えば、プロセッサ、コンピュータ実行可能命令、コンピュータ読み取り可能メモリ．．．等によって）１つ以上のアルゴリズムおよび／または方法を使用して、ＦＬＯ信号をブロードキャストするために利用されている複数のチャネルを監視することができ、ＲＦチャネル間で切り替えることができる。
【００２０】
これから図２を参照すると、１つ以上の実施形態にしたがった、多元接続ワイヤレス通信システム２００を図示している。システム２００は、例示目的に示しており、以下で述べたさまざまな観点に関連して利用することができる。Ａ３セクタ基地局２０２は、複数のアンテナグループ：アンテナ２０４および２０６を含むもの、アンテナ２０８および２１０を含む別のもの、アンテナ２１２および２１４を含む第３のものを含む。図面によると、それぞれのアンテナグループに対して２つだけのアンテナを示しているが、それぞれのアンテナグループに対して、より多いまたはより少ない数のアンテナが利用されてもよい。移動体デバイス２１６は、アンテナ２１２および２１４と通信し、ここで、アンテナ２１２および２１４は、フォワードリンク２２０を通して情報を移動体デバイス２１６に送信し、リバースリンク２１８を通して情報を移動体デバイス２１６から受信する。移動体デバイス２２２は、アンテナ２０４および２０６と通信し、ここで、アンテナ２０４および２０６は、フォワードリンク２２６を通して情報を移動体デバイス２２２に送信し、リバースリンク２２４を通して情報を移動体デバイス２２２から受信する。
【００２１】
通信するように指定されたアンテナのそれぞれのグループおよび／またはエリアは、基地局２０２のセクタと呼ばれることが多い。１つの実施形態では、アンテナグループは、それぞれ、基地局２０２によってカバーされているエリアのセクタにおける移動体デバイスに通信するように設計されている。フォワードリンク２２０および２２６による通信では、基地局２０２の送信アンテナは、異なる移動体デバイス２１６および２２２に対するフォワードリンクの信号対ノイズ比を向上させるために、ビーム形成技術を利用することができる。さらに、カバレージエリア中でランダムに散在されている移動体デバイス端末に送信するためにビーム形成を使用している基地局は、単一のアンテナを通してこのカバレージエリアにおけるすべての移動体デバイスに送信する基地局よりも、隣接セル／セクタにおける移動体デバイスに対して、より低い干渉を生じさせる。基地局は、端末と通信するために使用される固定局であってもよく、アクセスポイント、ノードＢ、または他の何らかの専門用語で呼ばれてもよい。移動体デバイスは、移動局、ユーザ機器（ＵＥ）、ワイヤレス通信デバイス、端末、アクセス端末、ユーザデバイスと呼ばれてもよく、または他のいくつかの専門用語で呼ばれてもよい。
【００２２】
１つ以上の観点にしたがうと、ユーザデバイス２１６のようなユーザデバイスは、（例えば、フォワードリンク２２０．．．を通して送信される）ＦＬＯ信号を含む複数のＲＦチャネルを監視することができ、このチャネル間で切り替えて、ユーザデバイス２１６における受信を最適化することができる。ＦＬＯ信号を対象として、通信システムの低い方の７００ＭＨ周波数帯域において約６ＭＨｚの帯域幅のチャネルを占有することができる；しかしながら、ＦＬＯ信号は、５、７、８ＭＨｚ等のような他の帯域幅を活用し得ること、および／または、低い方の７００ＭＨｚ帯域に加えて、または、低い方の７００ＭＨｚの代わりに、他のＲＦ周波数に存在することが考えられる。コンテンツのより多いストリームに適応するために、１つより多い無線周波数（ＲＦ）チャネル中にＦＬＯ信号が存在するとき、異なるＲＦチャネルに対するモニタリング、捕捉、およびハンドオフの結果を調べることが望ましい。（例えば、ユーザデバイスにおける）受信機が新しいＦＬＯ ＲＦチャネルのモニタリングおよび新しいＦＬＯ ＲＦチャネルへの切り替えを開始するシナリオが、いくつか存在する。例えば、現在のＦＬＯ ＲＦチャネル上で生じる、再捕捉の状況におけるロックの喪失のような深刻な失敗時に、受信機がチャネルのモニタリングおよび／または切り替えを開始してもよい。別の例にしたがうと、アプリケーション層の開始時にＦＬＯ ＲＦチャネルを開始および／または監視することが望ましいかもしれない。別の例は、受信機のアイドルモード中の、新しいＲＦチャネルのモニタリングおよび／または切り替えに関する。さらなる別の例は、新しいＲＦチャネルのバックグラウンドモニタリング（例えば、周期的、受信品質依存．．．）に関する。別の例にしたがうと、デバイスの電力投入中に、デバイスは、すべてのＲＦを監視して、動作のために最高のＲＦを選択することができる。
【００２３】
新しいチャネルのモニタリングを開始する前に、ＲＦチャネルのリストを受信機に提供することができ、このリスト間で受信機はＦＬＯ信号をサーチすることができる。制御チャネルメッセージをデコードすることによって、ＦＬＯネットワークからこの最初のリストを取得してもよい。ネットワークは、予め定められたスケジュール（例えば、すべてのスーパーフレームにつき１度．．．等）にしたがって、制御チャネルを通して、ＲＦ記述メッセージをＦＬＯ受信機にブロードキャストすることができる。複数の情報フィールドを規定および／または埋めて、このような情報をＦＬＯ受信機に提供することを容易にすることができる。例えば、“ＲＦＣｈａｎｎｅｌＣｏｕｎｔ”フィールドは、ＦＬＯブロードキャストを持つ多数のＲＦチャネルを含んでいてもよい。ＲＦＣｈａｎｎｅｌＩＤと、周波数と、ＣｈａｎｎｅｌＰｌａｎとに関するフィールドは、それぞれ、ＲＦＣｈａｎｎｅｌＣｏｕｎｔに示されているＲＦチャネルの、チャネル識別子と、中心周波数と、チャネル帯域幅とに関する情報を含んでいてもよい。受信機は、これらのＲＦチャネル候補上でＦＬＯ信号をサーチしてもよく、ＦＬＯブロードキャストがこのチャネル上で実際に利用可能またはデコード可能であるか否かを決定してもよい。
【００２４】
図３を参照すると、ＦＬＯ信号検出に関する方法を図示している。例えば、方法は、ＦＤＭＡ環境、ＯＦＤＭＡ環境、ＣＤＭＡ環境、ＷＣＤＭＡ環境、ＴＤＭＡ環境、ＳＤＭＡ環境、または他の何らかの適切なワイヤレス環境中のＦＬＯ ＲＦチャネルをモニタリング、検出、および／または、これらの間の切り替えに関していてもよい。説明の簡略化の目的のために、一連の動作として方法（ならびにここで図示した他の方法）を示して記述するとともに、いくつかの動作は、１つ以上の実施形態にしたがうと、ここで示したおよび記述したものとは異なる順序で生じるおよび／または他の動作と同時に生じることから、方法は動作の順序によって限定されないことを理解および正しく認識すべきである。例えば、状態図でのような、一連の相関のある状態またはイベントとして方法を代替的に表すことができることを、当業者は理解および正しく認識するだろう。さらに、図示した動作すべてが、１つ以上の実施形態にしたがった方法を実現するのに必要であるわけではない。
【００２５】
このような方法にしたがうと、例えば、再捕捉の状況におけるロックの喪失のような現在のＲＦチャネル上のＦＬＯ動作の深刻な失敗の後に、新しいＲＦチャネルのモニタリングが開始されてもよい。例えば、受信機は、元のＲＦチャネル（例えば、喪失チャネル）上での受信を再捕捉しようと試みることができる。元のチャネルに対する再捕捉のタイムアウト内で信号ロックが取得されない場合、受信機は、制御チャネルメッセージから取得される候補リスト上にある新しいＲＦチャネルのモニタリングを開始することができる。元のチャネルのロックはすでに喪失されているので、直列電流（ＤＣ）や、自動利得制御（ＡＧＣ）や、自動周波数制御（ＡＦＣ）や、元のＦＬＯチャネルのタイミングのような、ブロックの重要なパラメータを記憶および回復させる必要はない。受信機は、新しいＲＦチャネルに切り替え、ＦＬＯ信号の検出を再開することができる。
【００２６】
図３は、さまざまな観点にしたがった、ＦＬＯ信号を検出するための方法３００の図である。ＦＬＯ信号検出が開始されると、３０２では、ＴＤＭ１（時間分割多重化パイロット１）検出タイマーＣTDM1が０に対して開始される。３０４では、ＦＬＯデバイスが、受信信号上でＴＤＭパイロット１を検出するように試行する。また、３０４では、ＴＤＭ１検出タイマーＣTDM1がインクリメントされる。３０６では、ＦＬＯデバイスがＴＤＭ１を検出することに成功したか否かと、ＴＤＭ１検出タイマーＣTDM1がＴＤＭ１検出タイムアウトTTDM1を超えたか否かとに関して決定される。いずれのイベントも生じていない場合、方法は３０４に戻る。３０４では、方法が、ＴＤＭ１を検出しようと再試行し、ＴＤＭ１検出カウンタＣTDM1がインクリメントされる。３０６において、ＣTDM1がタイムアウト値ＴTDM1を超えたことを決定した場合、ＴＤＭ１検出は失敗し、ＦＬＯ信号は検出されない。このケースでは、方法は、３１４に進み、ここでは、ＦＬＯ信号が検出されなかった表示を発生させることができる。３０６において、ＴＤＭ１の検出が成功したことが決定された場合、３１０では、解析されている送信に関係するワイドエリア識別子（ＷＩＤ）チャネルに対するエネルギーレベルが突き止められて、予め定められたしきい値エネルギーレベルと比較される。検出されたＷＩＤエネルギーが予め定められたしきい値レベルよりもより大きくない場合、３１４において、ＦＬＯ信号は検出されないとの結論が出される。検出されたＷＩＤエネルギーがしきい値よりもより大きい場合、３１２において、（例えば、送信に関係するＷＩＤの検出時に）解析されている送信中に、ＷＯＩＳ（ワイドエリアオーバーヘッド情報シンボル）のデコーディング中にエラーが生じているか否かに関して決定される。エラーが生じている場合、３１４において、ＦＬＯ信号が検出されないとの結論が出される。ＷＯＩＳのデコーディング中にエラーが生じていなかった場合、３１６において、ＦＬＯ信号が検出されたという結論が出される。方法３００では、３つの基準のそれぞれ、すなわち、ＴＤＭ１検出（ブロック３０２ないし３０８）、ＷＩＤエネルギー（ブロック３１０）、ＷＯＩＳパケットエラーレート（ブロック３１２）が使用されてもよいし、使用されなくてもよい。方法３００から分かるように、ＦＬＯ信号は、上記の基準のうちの１つ以上のものを使用して検出される。方法３００は、反復型であり、例えば、ＦＬＯ信号検出を容易にするために、ワイヤレス通信環境中のユーザデバイス通信によって繰り返しおよび／または継続的に実行されることが理解されるだろう。
【００２７】
したがって、方法３００にしたがうと、ＦＬＯサービスが別のＲＦチャネル上で利用可能であるか否かを決定することが実行される。アプローチは、最初にＴＤＭパイロット１（ＴＤＭ１）を検出しようと試行する。ＴＤＭパイロット１の検出後、ＷＩＤ検出が、しきい値よりもより弱いエネルギーに戻った場合、ＦＬＯ信号は新しいチャネル上で利用できないことを宣言することができる。代わりに、検出されたＷＩＤエネルギーがしきい値よりもより高い場合、受信機がＷＯＩＳをデコードすることを継続し、ターボデコーディングＰＥＲを検出基準として使用する。
【００２８】
受信機電力消費を節約するために、新しいチャネル上の受信信号強度インジケータ（ＲＳＳＩ）を、早期終了条件として使用することができる。例えば、新しいチャネルへの切り替えと、直流電流（ＤＣ）および自動利得制御（ＡＧＣ）の捕捉との後、受信機が、最初に、デジタル可変利得増幅器（ＤＶＧＡ）ループ累算器とＡＧＣ利得状態情報とに基づいて、新しいチャネルのＲＳＳＩを計算する。ＲＳＳＩが予め規定されたしきい値よりも、より高い場合、受信機は、方法３００で示したような１つ以上の基準を使用するサーチング手順を実行するように進んでもよい。そうでない場合、ＦＬＯ信号は新しいチャネル上で利用できないことを宣言することができる。
【００２９】
ここで記述した１つ以上の観点にしたがうと、チャネルモニタリング、ＦＬＯ信号検出、ＲＦチャネル切り替え等に関して推定できることが正しく認識されるだろう。ここで用いたように、「推測する」または「推定する」に対する文言は、一般的に、イベントおよび／またはデータによって入手されるような１組の観測から、システム、環境、および／またはユーザの状態についての推論または推定のプロセスを意味する。推定を用いて、特定の状況またはアクションを識別することができ、または、例えば、状態に対する確率分布を発生させることができる。推定は、確率的、すなわち、データおよびイベントの考慮に基づいた、関心のある状態に対する確率分布の計算であってもよい。推定は、１組のイベントおよび／またはデータからより高いレベルのイベントを構成するために使用される技術のことを意味してもよい。時間的近接さでイベントが相関されようとなかろうと、そして、１つまたはいくつかのイベントおよびデータ源からイベントおよびデータが来ようと来なかろうと、このような推定は、結果的に、１組の観察されるイベントおよび／または記憶されるイベントデータからの新しいイベントまたはアクションの構成となる。
【００３０】
例示にしたがうと、先に示した１つ以上の方法は、信号強度のような、または、これに類するような外部情報に基づいて、ＲＦチャネル周波数間で切り替えるか否かに関して推定することを含んでいてもよい。例えば、現在のＲＦに関係する電力レベルは、継続的および／または周期的に監視されてもよい。ワイヤレス通信システムのセクタまたは領域中をユーザデバイスが移動する（例えば、ユーザデバイスはＲＦ送信のソースに向かって移動している）とき、電力レベルが増加することが（例えば、受信機、プロセッサ．．．によって）決定され、このケースでは、現在チャネル切り替えが必要ないことが推定されるかもしれない。関連した例にしたがうと、ＲＦチャネル電力レベルの評価は、ユーザデバイスがカバレージエリア中を移動する（例えば、ユーザデバイスはＲＦ送信のソースから離れるように移動している）とき、チャネル電力が低下していることを示してよく、このケースでは、新しいＲＦチャネルへの切り替えが差し迫って望ましいとの推定をすることができ、これに関するアクションが開始されてもよい。チャネル切り替えが望ましいか否かを評価するために、このような推定は、例えば、検出された電力レベルと、予め定められたしきい値電力レベルとの比較とに基づいたものであってよい。さらに、および／または、代わりに、ユーザデバイスが１つ以上のカバレージエリア全体にわたって移動するときに電力レベル傾向情報を提供するために、それぞれ連続的な電力レベル評価は、１つ以上の先行する電力レベルの読みに対して比較することができる。先の例は本質的に例示であり、ここで記述したさまざまな実施形態および／または方法に関連してなし得る推定の数またはこのような推定がなされる方法を限定することを意図していないことが正しく認識されるだろう。
【００３１】
図４は、１つ以上の観点にしたがった、ＦＬＯチャネルモニタリングのための高レベル状態遷移図４００を図示している。４０２では、元のＲＦチャネルがデコードされる。ロックの喪失の発生時に、または、アプリケーション層が開始するモニタリング時に、４０４において、新しいＲＦチャネル上でＦＬＯ信号サーチが開始される。新しいチャネルモニタリングの完了時に、４０６において、さらなる命令を待機する。別の観点にしたがうと、４０６において、ＦＬＯ信号が検出される最初のチャネルのデコーディングが開始する。
【００３２】
先行図面に関連して、ロックの喪失に基づくモニタリングに対して、ＦＬＯ信号サーチのすべてのアプローチを適用することができる。ＲＦ回路が新しいチャネルに切り替える間の期間に続いて、新しいチャネルに対するＤＣおよびＡＧＣブロックの捕捉のために、２つのＯＦＤＭシンボルが使用されてもよい。ＦＬＯサービスが利用可能であることがサーチングスキームによって決定された場合、新しいＦＬＯ信号の復調が開始されてもよい。ＲＦ切り替えおよび整定時間は、例えば、およそ５ｍｓであってもよく、これは、１秒のスーパーフレーム期間と比較して小さい。ＦＬＯ信号が新しいチャネル上で利用可能である場合、ＴＤＭパイロット１の次の発生までの待機時間は１秒までであるので、ＴＤＭパイロット１検出タイムアウトＴTDM1は、約１秒であるように予め規定することができる。
【００３３】
新しいチャネルのモニタリングは、アプリケーション層によって開始されてもよい。例えば、ソフトウェアは、新しいＲＦチャネルを監視するためにコマンドを発行することができ、結果として、元のチャネルのデコーディングおよび／またはビデオ再生が終了されてもよい。ロックの喪失ベースのモニタリングと同様に、元のＦＬＯチャネルに対する重要なパラメータを復元する必要はなく、方法３００で図示したＦＬＯ信号サーチ方法のうちの任意のものが使用されてもよい。ロックの喪失ベースのモニタリングに対してなされる考察は、このシナリオにも適用可能である。
【００３４】
図５は、ここで述べた１つ以上の観点にしたがった、ワイヤレス通信環境中のＦＬＯチャネルを通したＦＬＯチャネルモニタリングおよび／または切り替えを容易にするユーザデバイス５００の図である。ユーザデバイス５００は、例えば、（示していない）受信機アンテナから信号を受け取り、受け取った信号を一般的なアクション（例えば、フィルタリング、増幅、ダウンコンバート等）をここで実行し、調整された信号をデジタル化して、サンプルを取得する受信機５０２を具備している。復調器５０４は、チャネル推定のために、受け取ったパイロットシンボルを復調して、プロセッサ５０６に提供することができる。プロセッサ５０６は、受信機５０２によって受信した情報を解析すること、および／または、送信機５１６による送信のために情報を発生させることに専化したプロセッサ、ユーザデバイス５００の１つ以上のコンポーネントを制御するプロセッサ、および／または受信機５０２によって受信した情報を解析し、送信機５１６による送信のために情報を発生させ、ユーザデバイス５００の１つ以上のコンポーネントを制御するプロセッサであってもよい。
【００３５】
さらに、ユーザデバイス５００はメモリ５０８を具備していてもよく、メモリ５０８は、プロセッサ５０６に動作可能に結合され、ＲＦチャネル識別子や、これらに関係するＴＤＭパイロット情報や、ＴＤＭパイロットカウンタ調整値や、これらに関連する情報を含むルックアップテーブルや、ＲＦチャネルをモニタリングおよび／または切り替えて、ここで記述したようなワイヤレス通信システムにおいてシームレス情報表示をユーザに提供することをサポートするための他の何らかの適切な情報を記憶する。さらに、ユーザデバイス５００が、記憶されたプロトコルおよび／またはアルゴリズムを使用して、ここで記述したさまざまな方法を実行するように、メモリ５０８は、ＲＦチャネルモニタリング、ＲＦチャネル切り替え等のプロトコルを記憶してもよい。
【００３６】
ここで記述したデータ記憶（例えば、メモリ）コンポーネントは、揮発性メモリまたは不揮発性メモリのいずれかであってもよく、または、揮発性および不揮発性メモリの双方とも備えていてもよいことが正しく認識されるだろう。実例として、不揮発性メモリは、リードオンリーメモリ（ＲＯＭ）、プログラマブルＲＯＭ（ＲＰＯＭ）、電気的にプログラム可能なＲＯＭ（ＥＰＲＯＭ）、電気的に消去可能ＲＯＭ（ＥＥＰＲＯＭ）、またはフラッシュメモリを含んでいてもよいが、これらに限定されない。不揮発性メモリは、ランダムアクセスメモリ（ＲＡＭ）を含んでいてもよく、ランダムアクセスメモリ（ＲＡＭ）は外的キャッシュメモリとして動作する。実例として、ＲＡＭは、同期ＲＡＭ（ＳＲＡＭ）や、ダイナミックＲＡＭ（ＤＲＡＭ）や、同期ＤＲＡＭ（ＳＤＲＡＭ）や、二重データレートＳＤＲＡＭ（ＤＤＲ ＳＤＲＡＭ）や、エンハンスドＳＤＲＡＭ（ＥＳＤＲＡＭ）や、シンクリンクＲＡＭ（ＳＬＤＲＡＭ）や、ダイレクトラムバスＲＡＭ（ＤＲＲＡＭ）のような多くの形態で利用可能であるが、これらに限定されない。本件システムおよび方法のメモリ５０８は、これらのもの、および、他の何らかの適切なタイプのメモリを含むことを意図しているが、これらに限定されていない。
【００３７】
受信機５０２は、ＦＬＯチャネルモニタ５１０をさらに備えていてもよく、ＦＬＯチャネルモニタ５１０は、先に記述したように、例えば、ロックの喪失の発生時に、新しいＦＬＯ ＲＦチャネルのモニタリングを開始することを容易にする。さらに、および／または、代わりに、ＦＬＯチャネルモニタ５１０は、アプリケーションが開始するＦＬＯチャネルモニタリングを実行することができる。受信機５０２は、１つ以上のＲＦチャネルのバックグラウンドモニタリングに関連するさまざまなアクションを実行するバックグラウンドモニタ５１２をさらに備えていてもよい。例えば、バックグラウンドモニタ５１２は、ＲＦ周波数が元に戻されるときに、元のチャネル上の受信機動作を回復させるために、ＤＣ、ＡＧＣ、ＡＦＣ、およびタイミングブロックに関連するいくつかの制約を強制してもよい。
【００３８】
例えば、ＤＣブロックについて、新しいＲＦチャネルに切り替える前に、現在のＲＦチャネルに関係する粗および微ループ累算器（および／または他のレジスタ）が、メモリ５０８中に記憶されていてもよい。元のチャネルに元に戻した後に、このようなループ累算器が回復されてもよい。ＡＧＣブロックに関して、元に戻されるときに切り替えおよび回復される前に、現在のチャネルに対するＡＧＣ利得状態およびＤＶＧＡループ累算器値が記憶されてもよい。ＡＧＣブロックの場合、新しいチャネルに切り替えた後で、元のチャネルに戻される前に、アウタループ周波数累算器がフリーズする（例えば、記憶される）かもしれない。ＦＬＯ信号をサーチするために一時的のみにＲＦが切り替えされることから、新しいチャネル上で動作するときに、アウタループ更新は、温度補償電圧制御水晶発振器（ＴＣＶＣＸＯ）に関係付けられてもよく、インナーループを使用して、例えば、新しいチャネルに対する残留周波数エラーおよびドップラーを追跡してもよい。新しいチャネルに切り替える前に、メモリ５０８に対してインナーループの周波数累算器が記憶されてもよく、元のチャネルに戻された後に回復されてもよい。このとき、元のチャネル上の動作の再開を容易にするために、アウタループが再度更新されてもよい。タイミングブロックの場合、先に記述したＦＬＯサーチ方法が新しいチャネル上でＴＤＭ Ｐｉｌｏｔ１を検出するということの観点から、ＴＤＭ Ｐｉｌｏｔ１が新しいチャネル上で検出された後に、メモリ５０８に対してＴＤＭ Ｐｉｌｏｔ１カウンタ調整値が記憶されてもよく、チャネルが元の周波数に戻される前に元に戻されてもよい。ＦＬＯ信号サーチのために、ＷＯＩＳ ＰＥＲ方法またはＷＩＤ／ＷＯＩ方法を組み合わせたものを使用しようとしなかろうと、新しいチャネルに対するＴＤＭパイロット２カウンタ調整値が、元のチャネルに戻される前に記憶されて元に戻されるように、新しいチャネルに対するＴＤＭ パイロット２が常に処理されてもよい。この方法では、受信機５０２は、ＦＬＯ信号サーチおよび／または切り替えに関連して、複数のＲＦチャネルモニタリング機能を実行して、データまたは同様のものをストリーミングする向上したユーザ経験およびシームレス受信を容易にすることができる。
【００３９】
図６は、さまざまな観点にしたがった、ワイヤレス通信環境において、複数のＲＦチャネルを提供することを容易にするシステム６００の図である。システム６００は、複数の受信アンテナ６０６を通して１つ以上のユーザデバイス６０４から信号を受け取る受信機６１０と、送信アンテナ６０８を通して１つ以上のユーザデバイス６０４に送信する送信機６２２とを有する、基地局６０２を備えている。受信機６１０は、受信アンテナ６０６から情報を受け取り、受け取った情報を復調する復調器６１２に動作可能に関係していてもよい。復調されたシンボルは、図５に関連して先に記述したプロセッサに類似しているプロセッサ６１４によって解析され、プロセッサ６１４は、ＲＦチャネル周波数、ＲＦチャネルを通して送信されるデータ、これに関連するルックアップテーブルに関連する情報、および／または、ここで述べたさまざまなアクションおよび機能を実行することに関連する他の何らかの適切な情報を記憶するメモリ６１６に結合されている。プロセッサ６１４は、複数のＲＦチャネル上のスーパーフレーム送信を同期させるＦＬＯチャネルガバナー６１８にさらに結合されており、ＦＬＯチャネルガバナー６１８は、先行図面に関して記述したように、ユーザデバイス６０４によるＲＦチャネル切り替えを容易にすることができる。変調器６２０は、送信アンテナ６０８を通した、送信機６２２によるユーザデバイス６０４への送信のための信号をマルチプレクスすることができる。この方法では、基地局６０２は、ユーザデバイス６０４と対話し、ＲＦチャネル切り替え、ＦＬＯ信号検出、チャネルモニタリング等を可能にする。
【００４０】
ここで記述したさまざまな他の観点にしたがって、異なるＲＦチャネル上のＦＬＯ信号をスーパーフレーム同期させて、ＲＦチャネル間の切り替えおよび／またはＲＦチャネルのモニタリングを容易にしてもよい。異なるＲＦチャネル上のＦＬＯ信号は、異なるクロックレート間の切り替えに関係する複雑化を軽減するように同じまたは類似した帯域幅を持つように設計されていてもよい。さらに、「ワイドエリア」は、同じワイドマルチプレクスをブロードキャストするカバレージエリアの結合に対して一般化されてもよく、同じまたは異なるＲＦチャネル上で生じてもよい。さらに、ここで記述するさまざまな方法およびシステムは、例えば、同じワイドエリア内の隣接ＲＦチャネル、ならびに、隣接するＷＯＩエリアにおけるＲＦチャネルのような、隣接領域またはエリアにおいて利用されるＲＦチャネルのリストを維持することによって無線インターフェースサポートを提供することができる。ワイドエリア内で、制御チャネル情報は、ユーザデバイスのシームレスハンドオフを容易にする異なるノードに対して類似または同一であってもよい。この方法では、ここで記述したシステムおよび方法は、ＲＦチャネル切り替えに対するタイムライン、ソフトウェアおよび／またはハードウェアモニタリング動作、異なる方法／ルーチン／サブルーチンが呼ばれるオペレーティング条件等を特定することを容易にすることができる。
【００４１】
図７は、ここで記述するさまざまな観点にしたがった、隣接無線周波数のバックグラウンドモニタリングを実行する方法７００の図である。７０２では、バックグラウンドモニタリングが開始される。７０４では、現在のＲＦ上のＲＳＳＩを測定して、受信信号強度を決定する。７０６では、測定されたＲＳＳＩが予め定められたしきい値レベルよりもより大きいか、または、予め定められたしきい値レベルに等しいか否かに関して決定される。測定されたＲＳＳＩがしきい値レベルよりもより小さい場合、７１２に進む前に、７０８において、ＲＦモニタリングがイネーブルされる。測定されたＲＳＳＩがしきい値レベルに等しい、または、しきい値レベルよりもより大きい場合、７１０において、７１２に進む前に、ＲＦモニタリングがディセーブルされる。
【００４２】
７１２では、オーバーヘッド情報シンボル失敗が生じているか否かに関して決定される。もしそうであれば、方法は７１４に進み、ここで、再捕捉プロトコルが開始され、実行されてもよい。７１２における決定が否定的である場合、７１６において、１つ以上のＭＬＣ失敗が生じているか否かに関して決定される。決定が否定的である場合、７１８において、７２６に進む前に、７０８においてＲＦモニタリングがイネーブルされた場合、ＲＦモニタリングサブルーチン（例えば、ＲＦＭｏｎｉｔｏｒＭＬＣＳｕｃｃｅｓｓ（）サブルーチン）が開始する。ＲＦモニタリングサブルーチンは、隣接ＲＦリスト上でＲＦを監視してもよく、隣接ＲＦリストは、ＭＬＣギャップ次第で、モニタリング方法（例えば、ＲＳＳＩオンリーまたはＲＳＳＩ＋ＣＰ相関）のうちの１つを使用している現在のＲＦと同じワイドエリア識別（ＷＩＤ）を有する。ローカルＭＬＣのみがデコードされるケースでは、ＲＦモニタリングが実行される必要はない。
【００４３】
７１６における決定が肯定的である場合、７２０において、総ＭＬＣ失敗に対するタイムアウト論理が実現されてもよい。方法は７２２に進み、ここでは、ＲＦモニタリングがすでにイネーブルされていない場合、ＲＦモニタリングがイネーブルされ、そして、オーバーヘッド情報シンボルが取得される。７２４では、モニタリングサブルーチン（例えば、ＲＦＭｏｎｉｔｏｒＭＬＣＦａｉｌ（）サブルーチン）が開始され、これにより、隣接ＲＦリスト上のＲＦは、ＭＬＣギャップ次第で、ＲＳＳＩオンリーモニタリングプロトコルまたはＲＳＳＩ＋ＣＰ相関モニタリングプロトコルのうちの１つを使用して、監視されてもよい。一般的に、ＲＳＳＩオンリーモニタリング中、デバイスは、モニタリングするための隣接チャネルに切り替え、隣接チャネルのＲＳＳＩのみを監視する一方で、ＲＳＳＩ＋ＣＰ相関モニタリング中、デバイスは、隣接チャネル上でＲＳＳＩおよびＣＰ相関の双方とも監視する。ＷＩＤおよび／またはローカルエリア識別（ＬＩＤ）シンボルは、現在のＲＦに対して処理されてもよく、ハードウェアは、多数の最適なＷＩＤ／ＬＩＤエネルギーをソフトウェアアプリケーションに戻すことができる。ハンドオフ決定をするために、他のＲＦ上のＲＳＳＩおよび現在のＲＦ上のＷＩＤ／ＬＩＤエネルギーはハンドオフサブルーチンによって利用されてもよい。
【００４４】
７２６では、現在および／または隣接リスト中のＲＦに関連する情報を含むＲＦテーブルが更新され、ハンドオフサブルーチンが実行される。７２８では、ハンドオフフラグが存在するか否かに関して決定される。決定が否定的である場合、ハンドオフが実行される必要はなく、方法は、さらなる反復のために７０２に戻る。決定が肯定的である場合、７３０において、（例えば、宛先ＲＦ、宛先ＷＩＤ、宛先ＬＩＤ等に対して）ハンドオフが実行されてもよく、バックグラウンドモニタリングのさらなる反復のために、方法は７０２に進んでもよい。ここで、さまざまなＲＦ、ＷＩＤ、ＬＩＤ、ヒステリシス等は、互いにこれらを区別するために番号が振られてもよいことが正しく理解されるだろう（例えば、ＲＦ１、ＲＦ２、ＲＦ３等；ＷＩＤ１、ＷＩＤ２等；ＬＩＤ１、ＬＩＤ２等；Ｈｙｓ１、Ｈｙｓ２等）。７２６で実行されるハンドオフサブルーチンは、現在のＲＦがＲＦ１、ＷＩＤ１、ＬＩＤ１．．．等にラベル付けされていると仮定してもよい。ハンドオフサブルーチンは、ワイドエリアオンリーモード、ローカルオンリーモード、またはこれらを組み合わせたモードで動作してもよい。さらに、ＲＦ識別子に関連する情報を含むテーブル、これらに関係するＷＩＤおよび／またはＬＩＤ、ならびに他の何らかの適切な情報が更新されてもよい。それぞれの隣接ＲＦがテーブル中に記憶されているＲＳＳＩ値を持つように、ＲＦテーブルをフォーマットしてもよい。関係するＲＳＳＩ値と最高のＷＩＤエネルギーの数（例えば、３、４、６等）、ならびにこれらに関係する最高のＬＩＤエネルギーとともに、テーブル中に現在のＲＦを記憶してもよい。ＲＳＳＩ＋ＣＰ相関プロトコルが使用される場合、エントリに対するＣＰ相関値がＣＰ相関しきい値よりもより大きいときに、ＲＦテーブル中のエントリは更新される。エントリの最も最近のモニタリングを示すために、タイムスタンプを記憶してもよい。エントリに対するＣＰ相関値がＣＰ相関しきい値よりもより小さい場合、エントリはクリアにされてもよい。ＲＳＳＩ（ｎ＋１）＝（１−αT(n+1)-T(n)）・ｒ（ｎ＋１）＋αT(n+1)-T(n)・ＲＳＳＩ（ｎ）のように、複数のモニタリングセッションにわたって所定のエントリに対するＲＳＳＩ値が平均化されてもよい。ＲＳＳＩオンリープロトコルのケースでは、上記の式にしたがって、ＲＳＳＩが、それぞれのＲＦに対して記録され平均化されてもよい。
【００４５】
ハンドオフに関して、シームレスハンドオフは、非シームレスハンドオフよりも、より高い優先度が与えられてもよい。一般的に、隣接チャネルが現在のＲＦと同じＷＩＤ／ＬＩＤを伝える場合、双方のチャネル上でブロードキャストされているコンテンツは同一である。結果的に、ハンドオフ中、スーパーフレーム喪失は存在せず、ハンドオフはシームレスである。そうではなく、隣接ＲＦのＷＩＤ／ＬＩＤが現在のものと異なる場合、ハンドオフは非シームレスである。さらに、ワイドまたはローカルＭＬＣすべてが失敗したとき、異なるＷＩＤまたはＬＩＤへのハンドオフ（例えば、非シームレスハンドオフ）が許可されてもよい。ＭＬＣにおけるエラーの数がしきい値よりもより上であるとき、ＭＬＣは失敗する可能性がある。隣接ＲＦが、複数のＷＩＤを持ち、ＷＩＤのうちの１つが現在のＲＦ上のＷＩＤと同じである場合、このハンドオフは、シームレスハンドオフとして扱われてもよい。ワイドオンリーハンドオフの場合、ワイドエリアＭＬＣのみがデコードされる必要がある。異なるＷＩＤを有する隣接ＲＦ（例えば、ＲＦ１／ＷＩＤ２およびＲＦ２／ＷＩＤ１）に関連する例にしたがって、ＲＳＳＩ＿ＲＦ２が最初のヒステリシス（例えば、Ｈｙｓ１）と組み合わせたＲＳＳＩ＿ＲＦ１（例えば、すなわち、ＷＩＤ１エネルギー）よりもより大きい場合、ハンドオフ＿フラグは真であり、ｄｅｓｔ＿ＲＦはＲＦ２であり、ｄｅｓｔ＿ＷＩＤはＷＩＤ１であり、シームレスハンドオフを提供する。すべてのＭＬＣが失敗し、ＷＩＤ２エネルギーとＷＩＤ１エネルギーとの間の差が、第２のヒステリシスよりもより大きい場合、ハンドオフ＿フラグ条件は真であり、ｄｅｓｔ＿ＲＦはＲＦ１であり、ｄｅｓｔ＿ＷＩＤはＷＩＤ２である。他のケースでは、ハンドオフ＿フラグ条件は偽であってもよい。さらに、Ｈｓｙ１は、それぞれ、ＭＬＣ成功およびＭＬＣ失敗にともなって使用される高値および低値（例えば、Ｈｙｓ１＿ＨおよびＨｙｓ＿Ｌ）を持つようにサブ定義されてもよい。
【００４６】
２つの隣接ＲＦが共通のＷＩＤ（例えば、ＲＦ１／ＷＩＤ２およびＲＦ２／ＷＩＤ２）を持つ、別の例にしたがうと、すべての関係するＭＬＣに対して失敗が検出され、かつ、最大エネルギー（例えば、ＲＳＳＩ＿ＲＦ２、ＷＩＤ２＿Ｅｎｅｒｇｙ）が第２のヒステリシス（例えば、Ｈｙｓ２）と組み合わされたＲＳＳＩ＿ＲＦ１（すなわち、ＷＩＤ１＿Ｅｎｅｒｇｙ）よりもより大きい場合、ハンドオフ＿フラグ条件が存在し、ｄｅｓｔ＿ＲＦはＲＦ１またはＲＦ２であり、ｄｅｓｔ＿ＷＩＤはＷＩＤ２である。先述した条件を満たさない場合、ハンドオフ＿フラグ条件は偽である（例えば、ハンドオフは必要ない）。非シームレスハンドオフよりもシームレスハンドオフ優先度を与えることを容易にするために、Ｈｙｓ１はＨｙｓ２よりも小さくても良いことが正しく認識されるだろう。
【００４７】
ローカルオンリーハンドオフの場合、サブルーチンは、ローカルＭＬＣをデコードすることができる。例えば、さまざまなＷＩＤおよびＬＩＤを持つ３つのＲＦ（例えば、ＲＦ２／ＷＩＤ１／ＬＩＤ−任意のもの、ＲＦ１／ＷＩＤ２／ＬＩＤ−任意のもの、およびＲＦ１／ＷＩＤ１／ＬＩＤ２；ＲＦ２／ＷＩＤ２／ＬＩＤ−任意のもの、ＲＦ１／ＷＩＤ２／ＬＩＤ−任意のもの、およびＲＦ１／ＷＩＤ１／ＬＩＤ２；等）が隣接しているケースでは、ＭＬＣ失敗が検出された場合、引数ｍａｘ｛ＲＳＳＩ＿ＲＦ２，ＷＩＥ２＿Ｅｎｅｒｇｙ，ＷＩＤ１＿ＬＩＤ２＿Ｅｎｅｒｇｙ｝＞ＲＳＳＩ＿ＲＦ１（ｏｒ ＷＩＤＩ１＿Ｅｎｅｒｇｙ）＋Ｈｙｓ３は真であり、ハンドオフ条件は存在し、ハンドオフに対する宛先(例えば、ｄｅｓｔ＿ＲＦ、ｄｅｓｔ＿ＷＩＤ、ｄｅｓｔ＿ＬＩＤ等)が設定されてもよい。引数が真でない場合、ハンドオフ条件は存在しない。望まれた場合、Ｈｙｓ３がＨｙｓ２に等しく設定されてもよいことが留意されるだろう。
【００４８】
さらに別の観点にしたがうと、ワイドおよびローカルモードの双方においてハンドオフするときに、さまざまな基準を適用して、ハンドオフ条件が存在するか否かを決定してもよい。例えば、ＲＦ１／ＷＩＤ１／ＬＩＤ２や、ＲＦ１／ＷＩＤ２／ＬＩＤ−任意のものや、ＲＦ２／ＷＩＤ１／ＬＩＤ−任意のもののような３つの隣接ＲＦのケースにおいて、すべてのワイドエリアＭＬＣが成功し、かつ、少なくとも１つのローカルＭＬＣが成功した場合、ハンドオフ条件は存在しない。すべてのワイドエリアＭＬＣが成功し、かつ、すべてのローカルＭＬＣが失敗した場合で、引数ｍａｘ｛（ＷＩＤ１＿ＬＩＤ２＿Ｅｎｅｒｇｙ−ＷＩＤ１＿ＬＩＤ１＿Ｅｎｅｒｇｙ），（ＲＳＳＩ＿ＲＦ２−ＲＳＳＩ＿ＲＦ１（ｏｒ ＷＩＤ１＿Ｅｎｅｒｇｙ））｝＞Ｈｙｓ４が真である場合、ハンドオフ条件は存在し、ハンドオフフラグを発生させて、条件を示してよもい。ユーザデバイスにハンドオフ宛先が割り当てられてもよい（例えば、ｄｅｓｔ＿ＲＦ，ｄｅｓｔ＿ＷＩＤ，ｄｅｓｔ＿ＬＩＤがユーザデバイスに対して設定されてもよい）。さらに、ハンドオフは、ワイドエリアの見地からシームレスであってもよい。上記の引数が真でない場合、ハンドオフ条件は存在しないと考えてもよい。さらに、Ｈｙｓ４は、デフォルトによってＨｙｓ１＿Ｈに等しく設定されてもよい。
【００４９】
少なくとも１つのワイドエリアＭＬＣが失敗する、別の例にしたがうと、引数ｍａｘ｛（ＷＩＤ１＿ＬＩＤ２＿Ｅｎｅｒｇｙ−ＷＩＤ１＿ＬＩＤ１＿Ｅｎｅｒｇｙ），（ＲＳＳＩ＿ＲＦ２−ＲＳＳＩ＿ＲＦ１（ｏｒ ＷＩＤ１＿ＥＮＥＲＧＹ））｝＞Ｈｙｓ５が真である場合、ハンドオフ条件が存在するものと考えてもよく、宛先ＲＦ、ＷＩＤ，およびＬＩＤが設定されると考えてもよい。すべてのワイドエリアのＭＬＣが失敗した場合、上記の引数は偽であり、引数ＷＩＤ２＿Ｅｎｅｒｇｙ−ＷＩＤ１＿Ｅｎｅｒｇｙ＞Ｈｙｓ６は真であり、ハンドオフ条件は存在し、ハンドオフ宛先が設定されてもよい（例えば、ｄｅｓｔ＿ＲＦ＝ＲＦ１，ｄｅｓｔ＿ＷＩＤ＝ＷＩＤ２，ｄｅｓｔ＿ＬＩＤ＝ＬＩＤ−任意のもの等）。このような引数が真でない場合、ハンドオフ条件が存在しないと考えてもよい。Ｈｙｓ５がＨｙｓ１＿Ｌに等しく設定され、Ｈｙｓ６がＨｙｓ２に等しく設定されてもよいことが正しく認識されるだろう。
【００５０】
さらに別の例にしたがうと、ＲＦ１／ＷＩＤ１／ＬＩＤ２や、ＲＦ１／ＷＩＤ２／ＬＩＤ−任意のものや、ＲＦ２／ＷＩＤ２／ＬＩＤ−任意のもののような３つの隣接ＲＦのケースでは、すべてのワイドエリアＭＬＣが成功し、かつ、すべてのローカルＭＬＣよりも少ないローカルＭＬＣが失敗した場合、ハンドオフ条件は存在しない。すべてのワイドエリアＭＬＣが成功し、かつ、すべてのローカルＭＬＣが失敗した場合、引数ＷＩＤ１＿ＬＩＤ２＿Ｅｎｅｒｇｙ−ＷＩＤ１＿ＬＩＤ１＿Ｅｎｅｒｇｙ＞Ｈｙｓ４が真である場合、ハンドオフ条件は存在し、ハンドオフ宛先が設定されてもよい（例えば、ｄｅｓｔ＿ＲＦ＝ＲＦ１，ｄｅｓｔ＿ＷＩＤ＝ＷＩＤ１，ｄｅｓｔ＿ＬＩＤ＝ＬＩＤ２等）。このような引数が真でない場合、ハンドオフ条件は、存在しないと考えてもよく、ハンドオフフラグは偽として示されてもよい（例えば、０のビット値が割り当てられる、または、偽の高ビット値システムが使用された場合、１のビット値が割り当てられる等）。
【００５１】
少なくとも１つのワイドエリアＭＬＣ失敗が検出される他のケースでは、引数ＷＩＤ１＿ＬＩＤ２＿Ｅｎｅｒｇｙ−ＷＩＤ１＿ＬＩＤ１＿Ｅｎｅｒｇｙ＞Ｈｙｓ５が真である場合、ハンドオフ条件は存在されると考えられ、宛先ＲＦ、ＷＩＤ、ＬＩＤが設定されてもよい（例えば、ｄｅｓｔ＿ＲＦ＝ＲＦ１、ｄｅｓｔ＿ＷＩＤ＝ＷＩＤ１、およびｄｅｓｔ＿ＬＩＤ＝ＬＩＤ２）。すべてのワイドエリアＭＬＣが失敗した場合、引数ｍａｘ｛（ＲＳＳＩ＿ＲＦ２−ＲＳＳＩ＿ＲＦ１（ｏｒ ＷＩＤ１＿ＥＮＥＲＧＹ）），（ＷＩＤ２＿Ｅｎｅｒｇｙ−ＷＩＤ１＿Ｅｎｅｒｇｙ）｝＞ＨＹｓ６が真である場合、ハンドオフ条件は存在し、ハンドオフ宛先が設定されてもよい(例えば、ｄｅｓｔ＿ＲＦ＝ＲＦ１またはＲＦ２、ｄｅｓｔ＿ＷＩＤ＝ＷＩＤ２、およびｄｅｓｔ＿ＬＩＤ＝ＬＩＤ−任意のもの等）。このような引数が真でない場合、ハンドオフ条件は存在しないと考えられてもよい。
【００５２】
図８は、１つ以上の観点にしたがった、ワイヤレス通信環境においてＲＦの再捕捉を実行するための方法８００の図である。方法８００は、図７に関して７１４で記述した再捕捉プロトコルに類似していてもよい。８０２において、再捕捉プロトコルが開始される。８０４では、ＲＳＳＩ＋ＣＰ相関プロトコルがディセーブルされる。８０６では、ＴＤＭ１、ＴＤＭ２、ＷＯＩＳ、およびＬＯＩＳ情報が取得される。８０８では、ＯＩＳ失敗が生じているか否かに関して決定される。決定が否定的である場合、８１０において、先に記述したバックグラウンドモニタリング方法７００のようなバックグラウンドモニタリングプロトコルが開始される。決定が肯定的である場合、８１２では、ＯＩＳ失敗タイムアウト論理が実現される。タイムアウト表示がなされたとき、ＲＳＳＩオンリープロトコルが開始され、８１４において、すべての隣接ＲＦがスーパーフレームに対して監視される。
【００５３】
８１６において、先述した手順のうちの１つ以上のものによって、最適（例えば、宛先ＲＦ）として識別されたＲＦに切り替えられる。この方法では、ＭＬＣの失敗時にデバイス通信に対して最適なＲＦを再捕捉する。さまざまな観点にしたがうと、８０８では、ＯＩＳ失敗タイムアウトに対して、図７に関して先に記述した完全なＭＬＣ失敗に対して、別個のタイマーが実現される。さらに、ワイドエリアおよびローカルシステムに対して、別個のタイマーが維持されてもよい。検出されたＯＩＳ成功時に、ＯＩＳタイマーをリセットしてもよい。さらに、少なくとも１つのＭＬＣのデコーディングの成功時に、完全なＭＬＣ失敗タイマーはリセットされる。
【００５４】
他の観点にしたがって、先述した方法および／またはシステムに関係する構成可能なパラメータは、例えば、ヒステリシスマージン（例えば、Ｈｙｓ１＿Ｈ、Ｈｙｓ１＿Ｌ、Ｈｙｓ２等）、ＲＦモニタリングをイネーブルするＲＳＳＩしきい値、再捕捉方法におけるＯＩＳ失敗に対するタイムアウトおよび／またはバックグラウンドモニタリング方法等におけるＭＬＣ失敗に対するタイムアウト等を含んでいてもよい。他の構成可能なパラメータは、ＲＦモニタリング（例えば、整数であるＮ個のスーパーフレームごとに１つのスーパーフレームにおける隣接ＲＦをモニタリング）の周波数とともに、ネットワークまたは移動体デバイスによって設定される他のパラメータを含んでいてもよい。
【００５５】
図９は、ここで記述したさまざまな観点にしたがった、複数のＲＦにわたったハンドオフに対するタイムライン９００を図示している。ハンドオフは、スーパーフレームの終端で実行されてもよく、例示にしたがうと、４つのフレームを含んでいてもよいが、より多くのフレームまたはより少ないフレームがスーパーフレーム中に存在してもよい。図面にしたがうと、９０２では、フレーム４中の最後のＭＬＣの終端で新しいＲＦへのハンドオフを容易にするために、ソフトウェアコマンドが提供されてもよい。ソフトウェアコマンドの受け取り時に、ユーザデバイスは、ＲＦ切り替えタイマーを起動し、ブロック９０４中に、ＲＦ切り替えを実行することができ、この後、９０６において、ＤＣ較正が実行される。ＡＧＣ捕捉９０８およびＩＣ捕捉９１０は、ＤＣ較正に後続してもよい。タイムラインにおけるこの時点で、ＴＤＭ１は、先行図面に関連して先に記述したようにＴＤＭ１がサーチされてもよい。
【００５６】
ソフトウェアコマンドは、新しい宛先ＷＩＤおよび／またはＬＩＤを有する、ユーザデバイスに対してＷＩＤおよびＬＩＤフィールドをプログラミングしてもよい。さらに、コマンドは、ＡＧＣ ＡＦＣレジスタをプログラミングし、ＩＣ捕捉ビットを１に設定するとともに、新しいＲＦをプログラミングして、ハードウェアＲＦ切り替えタイマーの初期化をトリガすることができる。ハードウェアＲＦ切り替えタイマーの満了時に、ハードウェアコンポーネントは、関係するＬＮＡを停止させて、ＤＣ較正をイネーブルしてもよい。ソフトウェアは、ＴＤＭ１サーチを連続的にイネーブルしてもよい。
【００５７】
図１０は、１つ以上の観点にしたがった、同じＲＦ内の異なるＷＩＤ／ＬＩＤへのハンドオフを実行するタイムライン１０００の図である。１つの例にしたがって、ソフトウェアコマンドがスーパーフレームの４番目のフレーム１００２の終端で発行されてもよい。ソフトウェアコマンドは、ユーザデバイスが以前に割り当てられた同じＲＦに対する新しいＷＩＤおよび／またはＬＩＤへと、ユーザデバイスをハンドオフしてもよい。例えば、ソフトウェアコマンドは、デバイスに対するＷＩＤ／ＬＩＤ情報を、宛先ＷＩＤ／ＬＩＤへとプログラミングするとともに、１つ以上のＡＧＦ ＡＦＣレジスタをプログラミングして、ＩＣ捕捉ビットを０に設定する。電力消費を節約するために、スリープが可能であるならば、ソフトウェアコマンドはデバイスをスリープにしてもよい。スリープが可能である場合、起動ＡＧＣ捕捉１００４が生じると、ＴＤＭ１サーチに続く。この方法では、ＡＧＣ捕捉１００４およびＴＤＭ１サーチは、起動に続いて生じてもよい。スリープが不可能であるとソフトウェアが決定した場合、ソフトウェアコマンドはＡＧＣ捕捉１００４をトリガし、ＡＧＣ捕捉１００４に続いてＴＤＭ１サーチが生じてもよい。
【００５８】
図１１は、例示的なワイヤレス通信システム１１００を示している。ワイヤレス通信システム１１００は、簡略のために、１つの基地局と１つの端末とを図示している。しかしながら、システムが、１つより多い基地局および／または１つより多い端末を備えていてもよく、さらなる基地局および／または端末が、以下に記述する例示的な基地局および端末に実質的に類似または異なっていてもよいことが正しく認識されるだろう。さらに、基地局および／または端末が、ここで記述するシステム（図１、２、４〜６、および９〜１１）および／または方法（図３、および７〜８）を使用して、これらの間のワイヤレス通信を容易にしてもよいことが正しく認識されるべきである。
【００５９】
これから図１１を参照すると、ダウンリンク上で、アクセスポイント１１０５において、送信（ＴＸ）データプロセッサ１１１０が、トラフィックデータを受信し、フォーマッティング、コード化、インターリーブ、変調（またはシンボルマッピング）し、変調シンボル（データシンボル）を提供する。シンボル変調器１１１５は、データシンボルとパイロットシンボルとを受け取って処理し、シンボルのストリームを提供する。シンボル変調器１１２０は、データおよびパイロットシンボルをマルチプレクスし、これらを送信機ユニット（ＴＭＴＲ）１１２０に提供する。それぞれの送信シンボルは、データシンボル、パイロットシンボル、またはゼロの信号値であってもよい。パイロットシンボルは、それぞれのシンボル期間中に継続的に送信されてもよい。パイロットシンボルは、周波数分割多重化（ＦＤＭ）、直交周波数分割多重化（ＯＦＤＭ）、時間分割多重化（ＴＤＭ）、周波数分割多重化（ＦＤＭ）、またはコード分割多重化（ＣＤＭ）であってもよい。
【００６０】
ＴＭＴＲ１１２０は、シンボルのストリームを受け取り、シンボルのストリームを１つ以上のアナログ信号に変換して、アナログ信号をさらに調整（例えば、増幅、フィルタリング、および、周波数アップコンバート）して、ワイヤレスチャネルを通した送信に適切なダウンリンク信号を発生させる。そして、アンテナ１１２５を通して、ダウンリンク信号が端末に送信される。端末１１３０において、アンテナ１１３５が、ダウンリンク信号を受信し、受信信号を受信機ユニット（ＲＣＶＲ）１１４０に提供する。受信機ユニット１１４０は、受信信号を調整（例えば、フィルタリング、増幅、および周波数ダウンコンバート）して、調整された信号をデジタル化して、サンプルを取得する。シンボル復調器１１４５は、チャネル推定のために、受け取ったパイロットシンボルをプロセッサ１１５０に復調および提供する。シンボル復調器１１４５は、プロセッサ１１５０からのダウンリンクに対する周波数応答推定値をさらに受け取り、受け取ったデータシンボル上でデータ復調を実行して、（送信されたデータシンボルの推定値である）データシンボル推定値を取得して、データシンボル推定値をＲＸデータプロセッサ１１５５に提供し、ＲＸデータプロセッサ１１５５がデータシンボル推定値を復調（すなわち、シンボルデマッピング）、デインターリーブ、デコードして、送信されたトラフィックデータを回復させる。シンボル復調器１１４５およびＲＸデータプロセッサ１１５５による処理は、アクセスポイント１１０５において、それぞれ、シンボル変調器１１１５およびＴＸデータプロセッサ１１１０による処理に対して補完的である。
【００６１】
ここで記述した技術は、さまざまな手段によって実現されてもよい。例えば、これらの技術は、ハードウェア、ソフトウェア、またはこれらを組み合わせたもので実現されてもよい。ハードウェア実現のために、チャネル推定のために使用される処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、ここで記述した機能を実行するように設計されている他の電子ユニット、あるいはこれらを組み合わせたもの内で実現されてもよい。ソフトウェアによって、実現は、ここで記述した機能を実行するモジュール（例えば、手順、機能等）によって実現されてもよい。ソフトウェアコードは、メモリユニット中に記憶され、プロセッサ１１６０によって実行されてもよい。
【００６２】
図１２は、１つ以上の観点にしたがった、アクセス端末において、無線周波数間で切り替えを容易にする装置１２００の図である。装置１２００は、アクセス端末が通信している現在のＲＦに対するＲＳＳＩを測定するモジュール１２０２を具備している。ＲＳＳＩを測定するモジュール１２０２は、測定されたＲＳＳＩをしきい値と比較するモジュール１２０４に動作可能に結合されており、そして、ＲＦモニタリングをイネーブルおよびディセーブルするモジュール１２０６に結合されている。測定されたＲＳＳＩがしきい値に等しい、または、しきい値よりもより低いとき、ＲＦモニタリングをイネーブルおよびディセーブルするモジュール１２０６は、ＲＦモニタリングをイネーブルし、測定されたＲＳＳＩがしきい値よりもより大きいとき、ＲＦモニタリングをディセーブルしてもよい。
【００６３】
装置１２００は、ＯＩＳ失敗を検出するモジュール１２０８と、再捕捉プロトコルを実行する手段１２１０とをさらに具備しており、装置は、ＯＩＳ失敗の検出時に、例えば、方法８００のようなプロトコルを実行してもよい。ＯＩＳ失敗が検出されなかった場合、ＭＬＣ失敗を検出するモジュール１２１２が、１つ以上のＭＬＣ失敗が生じているか否かを決定してもよい。ＭＬＣ失敗が検出されなかった場合、最初のＲＦモニタリングサブルーチンを実行するモジュール１２１４は、成功的なＭＬＣシナリオにおいて、ＲＦをモニタリングするプロトコルを実行してもよい。１つ以上のＭＬＣが失敗した場合、タイムアウト論理を使用するモジュール１２１６は、ＭＬＣ失敗に関係するタイムアウト論理１２１６を使用してもよく、ＯＩＳを取得するモジュール１２１８は、ＲＦモニタリングがイネーブルされ、オーバーヘッド情報シンボル情報を確実に取得するようにする。第２のＲＦモニタリングサブルーチンを実行するモジュール１２２０は、不成功的なＭＬＣシナリオにおいて、ＲＦをモニタリングするプロトコルを実行してもよい。ＲＦ情報ルックアップテーブルを更新およびハンドオフフラグ発生を実行するモジュール１２２２は、ＲＦ、または、これに関係する識別子を示すハンドオフフラグを発生させ、これに対して、アクセス端末が、最初または第２のＲＦモニタリングプロトコルの実行の後にハンドオフしてもよい。ハンドオフフラグを検出するモジュール１２２４は、ＲＦまたはこれに関係する識別子（例えば、ＷＩＤまたはＬＩＤ）を識別し、ハンドオフプロトコルを実行するモジュール１２２６は、アクセス端末を、新しいＲＦおよび／または関係する識別子に割り当てるように進んでもよい。
【００６４】
ソフトウェアの実現のために、ここで記述した機能を実行するモジュール（例えば、手順、関数等）により、ここで記述した技術を実現してもよい。ソフトウェアコードはメモリユニット中に記憶させて、プロセッサによって実行してもよい。メモリユニットをプロセッサ内部またはプロセッサの外部で実現してもよく、どちらのケースにおいても、技術的に知られているさまざまな手段によって、プロセッサと通信可能に結合することができる。
【００６５】
先に記述していることは、１つ以上の実施形態の例を含んでいる。もちろん、以下で説明する実施形態においてを記述する目的のためにコンポーネントおよび方法のすべての考えられる組み合わせを記述することは不可能であるが、当業者は、さまざまな実施形態の多くのさらなる組み合わせおよび置換が可能性あることを認識してもよい。したがって、記述した実施形態は、観点は開示した特定の観点に限定されないこと、また、他の観点は、添付した特許請求の範囲内で範囲に含められることが意図されている。さらに、記述した実施形態は、特許請求の範囲の精神および範囲内にあるすべてのこのような変更、修正およびバリエーションを含むことを意図しており、さらに、用語「含む」が詳細な説明または特許請求の範囲のいずれかで使用される限り、このような用語は、用語「具備する」が請求項中で移行語として使用されるときに解釈されるように用語「具備する」とある意味、類似して包括的であることが意図されている。
【図１】
2010534984.tif 000003
【図２】
2010534984.tif 000004
【図３】
2010534984.tif 000005
【図４】
2010534984.tif 000006
【図５】
2010534984.tif 000007
【図６】
2010534984.tif 000008
【図７】
2010534984.tif 000009
【図８】
2010534984.tif 000010
【図９】
2010534984.tif 000011
【図１０】
2010534984.tif 000012
【図１１】
2010534984.tif 000013
【図１２】
2010534984.tif 000014
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
ワイヤレス通信環境中のアクセス端末において、無線周波数をモニタリングおよび無線周波数間で切り替える方法であって、
現在のチャネルに対する信号品質を測定することと、
前記測定された信号品質が、予め定められたしきい値よりもより上であるか否かを決定することと、
少なくとも１つの隣接チャネルの信号品質を監視することと、
前記現在のチャネルの信号品質と、前記少なくとも１つの隣接チャネルの信号品質とに少なくとも部分的に基づいて、ハンドオフフラグを発生させることとを含む方法。
【請求項２】
前記信号品質は、受信信号強度インジケータ（ＲＳＳＩ)、信号対干渉プラスノイズ比またはサイクリックプレフィックス（ＣＰ）相関のうちの少なくとも１つを含む請求項１記載の方法。
【請求項３】
測定されたＲＳＳＩが、前記予め定められたしきい値よりもより上である場合、ＲＦモニタリングをディセーブルすることとをさらに含む請求項１記載の方法。
【請求項４】
前記測定されたＲＳＳＩが、前記予め定められたしきい値よりもより低い、または、前記予め定められたしきい値に等しい場合、ＲＦモニタリングをイネーブルすることをさらに含む請求項１記載の方法。
【請求項５】
１つ以上のメディアＦＬＯ論理チャネル（ＭＬＣ）セグメント失敗が生じているか否かを決定することをさらに含む請求項１記載の方法。
【請求項６】
ＭＬＣ失敗が生じていなかった場合、ＲＦモニタリングサブルーチンを実行することをさらに含む請求項５記載の方法。
【請求項７】
ＭＬＣ失敗がないことが検出された場合、ＲＦルックアップテーブルを更新することと、ハンドオフフラグ発生サブルーチンを実行することとをさらに含む請求項６記載の方法。
【請求項８】
関係するアクセス端末が新しいＲＦにハンドオフされることになることを示す、ハンドオフフラグが存在するか否かを決定することをさらに含む請求項７記載の方法。
【請求項９】
宛先ＲＦと、宛先ワイドエリア識別子と、宛先ローカルエリア識別子とのうちの少なくとも１つへと、前記アクセス端末をハンドオフすることをさらに含む請求項８記載の方法。
【請求項１０】
ＭＬＣの失敗時にタイムアウト論理を開始することをさらに含む請求項５記載の方法。
【請求項１１】
ＲＦモニタリングをイネーブルすることと、前記１つ以上のＭＬＣセグメントに対するＯＩＳ情報を取得することとをさらに含む請求項１０記載の方法。
【請求項１２】
ＲＦモニタリングサブルーチンを開始することをさらに含む請求項１１記載の方法。
【請求項１３】
１つ以上のＭＬＣ失敗が検出された場合、ＲＦルックアップテーブルを更新することと、ハンドオフフラグ発生サブルーチンを実行することとをさらに含む請求項１２記載の方法。
【請求項１４】
関係するアクセス端末が新しいＲＦにハンドオフされることになることを示す、ハンドオフフラグが存在するか否かを決定することをさらに含む請求項１３記載の方法。
【請求項１５】
宛先ＲＦと、宛先ワイドエリア識別子と、宛先ローカルエリア識別子とのうちの少なくとも１つへと、前記アクセス端末をハンドオフすることをさらに含む請求項１４記載の方法。
【請求項１６】
ＯＩＳ失敗が生じているか否かを決定することをさらに含む請求項１記載の方法。
【請求項１７】
ＯＩＳ失敗が検出されなかった場合、バックグラウンドＲＦモニタリングプロトコルを開始することをさらに含む請求項１６記載の方法。
【請求項１８】
ＯＩＳ失敗が検出された場合、ＯＩＳ失敗タイムアウト論理を実現することをさらに含む請求項１６記載の方法。
【請求項１９】
監視されるＲＦに関連する情報を有するＲＦルックアップテーブルを更新することをさらに含む請求項１８記載の方法。
【請求項２０】
ＲＦルックアップテーブルにしたがって、現在のＲＦから、最高のＲＳＳＩ値を持つ最適なＲＦへとアクセス端末をハンドオフすることをさらに含む請求項１９記載の方法。
【請求項２１】
ワイヤレス通信環境中のアクセス端末において、無線周波数（ＲＦ）間での切替を促進する装置であって、
少なくとも１つの隣接ＲＦを監視し、それに対する受信信号強度インジケータ（ＲＳＳＩ）を解析する受信機と、
ＲＳＳＩに関連する情報と、現在のＲＦと前記少なくとも１つの隣接ＲＦとに対する識別情報とを記憶するメモリと、
前記メモリに結合され、前記現在のＲＦと前記少なくとも１つの隣接ＲＦとの間で切り替えるプロセッサとを具備する装置。
【請求項２２】
前記受信機は、測定されたＲＳＳＩが、予め定められたしきい値よりもより上であるか否かを決定する請求項２１記載の装置。
【請求項２３】
オーバーヘッド情報シンボル（ＯＩＳ）失敗が生じているか否かを決定することと、ＯＩＳが生じている場合、再捕捉プロトコルを開始することとをさらに含む請求項２２記載の装置。
【請求項２４】
前記受信機は、１つ以上のマルチレベルのコード化（ＭＬＣ）セグメント失敗が生じているか否かを決定する請求項２３記載の装置。
【請求項２５】
前記受信機は、ＭＬＣ失敗が生じていなかった場合、ＲＦモニタリングサブルーチンを実行する請求項２４記載の装置。
【請求項２６】
前記プロセッサは、１つ以上のＭＬＣ失敗が検出された場合、ＲＦルックアップテーブルを更新し、ハンドオフフラグ発生サブルーチンを実行する請求項２４記載の装置。
【請求項２７】
前記プロセッサは、前記ハンドオフフラグによって識別される、宛先ＲＦと、宛先ワイドエリア識別子と、宛先ローカルエリア識別子とのうちの少なくとも１つに切り替える請求項２６記載の装置。
【請求項２８】
ワイヤレス通信装置であって、
現在のチャネルに対する信号品質を測定する手段と、
前記測定された信号品質が、予め定められたしきい値よりもより上であるか否かを決定する手段と、
少なくとも１つの隣接チャネルの信号品質を監視する手段と、
前記現在のチャネルの信号品質と、前記少なくとも１つの隣接チャネルの信号品質とに少なくとも部分的に基づいて、ハンドオフフラグを発生させる手段とを具備するワイヤレス通信装置。
【請求項２９】
前記信号品質は、受信信号強度インジケータ（ＲＳＳＩ)、信号対干渉プラスノイズ比またはサイクリックプレフィックス（ＣＰ）相関のうちの少なくとも１つを含む請求項２８記載の装置。
【請求項３０】
測定されたＲＳＳＩが、前記予め定められたしきい値よりもより上である場合、ＲＦモニタリングをディセーブルし、前記測定されたＲＳＳＩが、前記予め決められたしきい値よりもより低い、または、前記予め決められたしきい値に等しい場合、ＲＦモニタリングをイネーブルする手段をさらに具備する請求項２８記載の装置。
【請求項３１】
１つ以上のマルチレベルコード化された（ＭＬＣ）セグメント失敗が生じているか否かを決定する手段をさらに具備する請求項２８記載の装置。
【請求項３２】
ＭＬＣ失敗が生じていなかった場合、「ＭＬＣ成功」ＲＦモニタリングサブルーチンを実行する手段をさらに具備する請求項３１記載の装置。
【請求項３３】
１つ以上のＭＬＣ失敗が検出された場合、ＲＦルックアップテーブルを更新し、前記アクセス端末の、新しいＲＦへの間近なハンドオフを示すハンドオフフラグを発生させる手段をさらに具備する請求項３２記載の装置。
【請求項３４】
前記ハンドオフフラグによって識別される、宛先ＲＦと、宛先ワイドエリア識別子と、宛先ローカルエリア識別子とのうちの少なくとも１つへと、前記アクセス端末をハンドオフする手段をさらに具備する請求項３３記載の装置。
【請求項３５】
ＭＬＣ失敗時にタイムアウト論理を開始する手段と、ＲＦモニタリングをイネーブルする手段と、前記１つ以上のＭＬＣセグメントに対するＯＩＳ情報を取得する手段とをさらに具備する請求項３１記載の装置。
【請求項３６】
１つ以上の失敗が検出された場合、ＲＦモニタリングサブルーチンを開始する手段と、ＲＦルックアップテーブルを更新する手段と、関係するアクセス端末が新しいＲＦへとハンドオフされることになることを示すハンドオフフラグを発生させる手段とをさらに具備する請求項３５記載の装置。
【請求項３７】
前記ハンドオフフラグによって識別される、宛先ＲＦと、宛先ワイドエリア識別子と、宛先ローカルエリア識別子とのうちの少なくとも１つへと、前記アクセス端末をハンドオフする手段をさらに具備する請求項２８記載の装置。
【請求項３８】
ＯＩＳ失敗が生じているか否かを決定する手段をさらに具備する請求項２８記載の装置。
【請求項３９】
ＯＩＳ失敗が生じていなかった場合、バックグラウンドＲＦモニタリングプロトコルを
開始する手段をさらに具備する請求項３８記載の装置。
【請求項４０】
ＯＩＳ失敗が生じていた場合、ＯＩＳ失敗タイムアウト論理を実現する手段をさらに具備する請求項３８記載の装置。
【請求項４１】
前記監視されたＲＦに関連する情報を有するＲＦルックアップテーブルを更新する手段と、前記ＲＦルックアップテーブルにしたがって、現在のＲＦから、最高のＲＳＳＩ値を持つ最適なＲＦへと、アクセス端末をハンドオフする手段をさらに具備する請求項４０記載の装置。
【請求項４２】
現在のチャネルに対する信号品質を測定するためのコンピュータ実行可能な命令と、
前記測定された信号品質が、予め定められたしきい値よりもより上であるか否かを決定するためのコンピュータ実行可能な命令と、
少なくとも１つの隣接チャネルの信号品質を監視するためのコンピュータ実行可能な命令と、
前記現在のチャネルの信号品質と、前記少なくとも１つの隣接チャネルの信号品質とに少なくとも部分的に基づいて、ハンドオフフラグを発生させるためのコンピュータ実行可能な命令とを含むコンピュータプログラムを有するコンピュータ読み取り可能媒体。
【請求項４３】
前記信号品質は、受信信号強度インジケータ（ＲＳＳＩ)、信号対干渉プラスノイズ比またはサイクリックプレフィックス（ＣＰ）相関のうちの少なくとも１つを含む請求項４２記載のコンピュータ読み取り可能媒体。
【請求項４４】
測定されたＲＳＳＩが、前記予め定められたしきい値よりもより上であった場合、ＲＦモニタリングをディセーブルするための命令と、
前記測定されたＲＳＳＩが、前記予め定められたしきい値よりもより低い、または、前記予め定められたしきい値に等しい場合、ＲＦモニタリングをイネーブルするための命令とをさらに含む請求項４２記載のコンピュータ読み取り可能媒体。
【請求項４５】
１つ以上のマルチレベルコード化（ＭＬＣ）セグメント失敗が生じているか否かを決定するための命令をさらに含む請求項４２記載のコンピュータ読み取り可能媒体。
【請求項４６】
ＭＬＣ失敗が生じていなかった場合、「ＭＬＣ成功」ＲＦモニタリングサブルーチンを実行するための命令をさらに含む請求項４５記載のコンピュータ読み取り可能媒体。
【請求項４７】
１つ以上のＭＬＣ失敗が検出された場合、ＲＦルックアップテーブルを更新し、前記アクセス端末の、新しいＲＦへの間近なハンドオフを示すハンドオフフラグを発生させるための命令をさらに含む請求項４６記載のコンピュータ読み取り可能媒体。
【請求項４８】
前記ハンドオフフラグによって識別される、宛先ＲＦと、宛先ワイドエリア識別子と、宛先ローカルエリア識別子とのうちの少なくとも１つへと、前記アクセス端末をハンドオフするための命令をさらに含む請求項４７記載のコンピュータ読み取り可能媒体。
【請求項４９】
ＭＬＣ失敗時にタイムアウト論理を開始するための命令と、ＲＦモニタリングをイネーブルするための命令と、前記１つ以上のＭＬＣセグメントに対するＯＩＳ情報を取得するための命令とをさらに含む請求項４５記載のコンピュータ読み取り可能媒体。
【請求項５０】
１つ以上のＭＬＣ失敗が検出された場合、ＲＦモニタリングサブルーチンを開始するための命令と、ＲＦルックアップテーブルを更新するための命令と、関係するアクセス端末が新しいＲＦ端末へとハンドオフされることになることを示すハンドオフフラグを発生させる命令とをさらに含む請求項４９記載のコンピュータ読み取り可能媒体。
【請求項５１】
前記ハンドオフフラグによって示される、宛先ＲＦと、宛先ワイドエリア識別子と、宛先ローカルエリア識別子とのうちの少なくとも１つへと、前記アクセス端末をハンドオフするための命令をさらに含む請求項５０記載のコンピュータ読み取り可能媒体。
【請求項５２】
ＯＩＳ失敗が生じているか否かを決定するための命令をさらに含む請求項４２記載のコンピュータ読み取り可能媒体。
【請求項５３】
ＯＩＳ失敗が生じていなかった場合、バックグラウンドＲＦモニタリングプロトコルを開始するための命令をさらに含む請求項５２記載のコンピュータ読み取り可能媒体。
【請求項５４】
ＯＩＳ失敗が生じていた場合、ＯＩＳ失敗タイムアウト論理を実現するための命令をさらに含む請求項５２記載のコンピュータ読み取り可能媒体。
【請求項５５】
前記監視されたＲＦに関連する情報を有するＲＦルックアップテーブルを更新するための命令と、前記ＲＦルックアップテーブルにしたがって、現在のＲＦから、最高のＲＳＳＩ値を持つ最適なＲＦへと、アクセス端末をハンドオフするための命令とをさらに含む請求項５４記載のコンピュータ読み取り可能媒体。
【請求項５６】
ワイヤレス通信環境におけるスループットを増加させるための命令を実行するプロセッサであって、
前記命令は、
現在のチャネルに対する信号品質を測定することと、
前記測定された信号品質が、予め定められたしきい値よりもより上であるか否かを決定することと、
少なくとも１つの隣接チャネルの信号品質を監視することと、
デコーダエラーレートに、または、前記現在のチャネルの信号品質と前記少なくとも１つの隣接チャネルの信号品質とに少なくとも部分的に基づいて、ハンドオフフラグを発生させることとを含むプロセッサ。
【請求項５７】
前記信号品質は、受信信号強度インジケータ（ＲＳＳＩ)、信号対干渉プラスノイズ比またはサイクリックプレフィックス（ＣＰ）相関のうちの少なくとも１つを含む請求項５６記載のプロセッサ。
【請求項５８】
前記命令は、測定されたＲＳＳＩが、前記予め定められたしきい値よりもより上である場合、ＲＦモニタリングをディセーブルすることと、前記測定されたＲＳＳＩが、前記予め定められたしきい値よりもより低い、または、前記予め定められたしきい値に等しい場合、ＲＦモニタリングをイネーブルすることとをさらに含む請求項５６記載のプロセッサ。
【請求項５９】
前記命令は、１つ以上のマルチレベルコード化（ＭＬＣ）セグメント失敗が生じているか否かを決定することをさらに含む請求項５６記載のプロセッサ。
【請求項６０】
前記命令は、ＭＬＣ失敗が生じていなかった場合、「ＭＬＣ成功」ＲＦモニタリングサブルーチンを実行することをさらに含む請求項５９記載のプロセッサ。
【請求項６１】
前記命令は、１つ以上のＭＬＣ失敗が検出された場合、ＲＦルックアップテーブルを更新し、前記アクセス端末の、新しいＲＦへの間近なハンドオフを示すハンドオフフラグを発生させることをさらに含む請求項６０記載のプロセッサ。
【請求項６２】
前記命令は、前記ハンドオフフラグによって識別される、宛先ＲＦと、宛先ワイドエリア識別子と、宛先ローカルエリア識別子とのうちの少なくとも１つへと、前記アクセス端末をハンドオフすることをさらに含む請求項６１記載のプロセッサ。
【請求項６３】
前記命令は、ＭＬＣ失敗時にタイムアウト論理を開始することと、ＲＦモニタリングをイネーブルにすることと、前記１つ以上のＭＬＣセグメントに対するＯＩＳ情報を取得することとをさらに含む請求項５９記載のプロセッサ。
【請求項６４】
前記命令は、１つ以上のＭＬＣ失敗が検出された場合、ＲＦモニタリングサブルーチンを開始することと、ＲＦルックアップテーブルを更新することと、前記関係するアクセス端末が新しいＲＦにハンドオフされることになることを示すハンドオフフラグを発生させることとをさらに含む請求項６３記載のプロセッサ。
【請求項６５】
前記命令は、ハンドオフフラグによって示される、宛先ＲＦと、宛先ワイドエリア識別子と、宛先ローカルエリア識別子とのうちの少なくとも１つへと、前記アクセス端末をハンドオフすることをさらに含む請求項６４記載のプロセッサ。
【請求項６６】
前記命令は、ＯＩＳ失敗が生じているか否かを決定することをさらに含む請求項５６記載のプロセッサ。
【請求項６７】
前記命令は、ＯＩＳ失敗が生じていなかった場合、バックグラウンドＲＦプロトコルを開始することをさらに含む請求項６６記載のプロセッサ。
【請求項６８】
前記命令は、ＯＩＳ失敗が生じていた場合、ＯＩＳ失敗タイムアウト論理を実現することをさらに含む請求項６６記載のプロセッサ。
【請求項６９】
前記命令は、前記監視されたＲＦに関する情報を有するＲＦルックアップテーブルを更新することと、前記ＲＦルックアップテーブルにしたがって、現在のＲＦから、最高のＲＳＳＩ値を持つ最適ＲＦへと、前記アクセス端末をハンドオフすることとをさらに含む請求項６８記載のプロセッサ。
【手続補正２】
【補正対象書類名】明細書
【補正対象項目名】００６５
【補正方法】変更
【補正の内容】
【００６５】
先に記述していることは、１つ以上の実施形態の例を含んでいる。もちろん、以下で説明する実施形態においてを記述する目的のためにコンポーネントおよび方法のすべての考えられる組み合わせを記述することは不可能であるが、当業者は、さまざまな実施形態の多くのさらなる組み合わせおよび置換が可能性あることを認識してもよい。したがって、記述した実施形態は、観点は開示した特定の観点に限定されないこと、また、他の観点は、添付した特許請求の範囲内で範囲に含められることが意図されている。さらに、記述した実施形態は、特許請求の範囲の精神および範囲内にあるすべてのこのような変更、修正およびバリエーションを含むことを意図しており、さらに、用語「含む」が詳細な説明または特許請求の範囲のいずれかで使用される限り、このような用語は、用語「具備する」が請求項中で移行語として使用されるときに解釈されるように用語「具備する」とある意味、類似して包括的であることが意図されている。
以下に、本願出願の当初の特許請求の範囲に記載された発明を付記する。
〔１〕ワイヤレス通信環境中のアクセス端末において、無線周波数をモニタリングおよび無線周波数間で切り替える方法であって、
現在のチャネルに対する信号品質を測定することと、
前記測定された信号品質が、予め定められたしきい値よりもより上であるか否かを決定することと、
少なくとも１つの隣接チャネルの信号品質を監視することと、
前記現在のチャネルの信号品質と、前記少なくとも１つの隣接チャネルの信号品質とに少なくとも部分的に基づいて、ハンドオフフラグを発生させることとを含む方法。
〔２〕前記信号品質は、受信信号強度インジケータ（ＲＳＳＩ)、信号対干渉プラスノイズ比またはサイクリックプレフィックス（ＣＰ）相関のうちの少なくとも１つを含む、上記〔１〕記載の方法。
〔３〕測定されたＲＳＳＩが、前記予め定められたしきい値よりもより上である場合、ＲＦモニタリングをディセーブルすることとをさらに含む、上記〔１〕記載の方法。
〔４〕前記測定されたＲＳＳＩが、前記予め定められたしきい値よりもより低い、または、前記予め定められたしきい値に等しい場合、ＲＦモニタリングをイネーブルすることをさらに含む、上記〔１〕記載の方法。
〔５〕１つ以上のメディアＦＬＯ論理チャネル（ＭＬＣ）セグメント失敗が生じているか否かを決定することをさらに含む、上記〔１〕記載の方法。
〔６〕ＭＬＣ失敗が生じていなかった場合、ＲＦモニタリングサブルーチンを実行することをさらに含む、上記〔５〕記載の方法。
〔７〕ＭＬＣ失敗がないことが検出された場合、ＲＦルックアップテーブルを更新することと、ハンドオフフラグ発生サブルーチンを実行することとをさらに含む、上記〔６〕記載の方法。
〔８〕関係するアクセス端末が新しいＲＦにハンドオフされることになることを示す、ハンドオフフラグが存在するか否かを決定することをさらに含む、上記〔７〕記載の方法。
〔９〕宛先ＲＦと、宛先ワイドエリア識別子と、宛先ローカルエリア識別子とのうちの少なくとも１つへと、前記アクセス端末をハンドオフすることをさらに含む、上記〔８〕記載の方法。
〔１０〕ＭＬＣの失敗時にタイムアウト論理を開始することをさらに含む、上記〔５〕記載の方法。
〔１１〕ＲＦモニタリングをイネーブルすることと、前記１つ以上のＭＬＣセグメントに対するＯＩＳ情報を取得することとをさらに含む、上記〔１０〕記載の方法。
〔１２〕ＲＦモニタリングサブルーチンを開始することをさらに含む、上記〔１１〕記載の方法。
〔１３〕１つ以上のＭＬＣ失敗が検出された場合、ＲＦルックアップテーブルを更新することと、ハンドオフフラグ発生サブルーチンを実行することとをさらに含む、上記〔１２〕記載の方法。
〔１４〕関係するアクセス端末が新しいＲＦにハンドオフされることになることを示す、ハンドオフフラグが存在するか否かを決定することをさらに含む、上記〔１３〕記載の方法。
〔１５〕宛先ＲＦと、宛先ワイドエリア識別子と、宛先ローカルエリア識別子とのうちの少なくとも１つへと、前記アクセス端末をハンドオフすることをさらに含む、上記〔１４〕記載の方法。
〔１６〕ＯＩＳ失敗が生じているか否かを決定することをさらに含む、上記〔１〕記載の方法。
〔１７〕ＯＩＳ失敗が検出されなかった場合、バックグラウンドＲＦモニタリングプロトコルを開始することをさらに含む、上記〔１６〕記載の方法。
〔１８〕ＯＩＳ失敗が検出された場合、ＯＩＳ失敗タイムアウト論理を実現することをさらに含む、上記〔１６〕記載の方法。
〔１９〕監視されるＲＦに関連する情報を有するＲＦルックアップテーブルを更新することをさらに含む、上記〔１８〕記載の方法。
〔２０〕ＲＦルックアップテーブルにしたがって、現在のＲＦから、最高のＲＳＳＩ値を持つ最適なＲＦへとアクセス端末をハンドオフすることをさらに含む、上記〔１９〕記載の方法。
〔２１〕ワイヤレス通信環境中のアクセス端末において、無線周波数（ＲＦ）間での切替を促進する装置であって、
少なくとも１つの隣接ＲＦを監視し、それに対するＲＳＳＩを解析する受信機と、
ＲＳＳＩに関連する情報と、現在のＲＦと前記少なくとも１つの隣接ＲＦとに対する識別情報とを記憶するメモリと、
前記メモリに結合され、前記現在のＲＦチャネルと前記少なくとも１つの隣接ＲＦチャネルとの間で切り替えるプロセッサとを具備する装置。
〔２２〕前記受信機は、測定されたＲＳＳＩが、予め定められたしきい値よりもより上であるか否かを決定する、上記〔２１〕記載の装置。
〔２３〕オーバーヘッド情報シンボル（ＯＩＳ）失敗が生じているか否かを決定することと、ＯＩＳが生じている場合、再捕捉プロトコルを開始することとをさらに含む、上記〔２２〕記載の装置。
〔２４〕前記受信機は、１つ以上のマルチレベルのコード化（ＭＬＣ）セグメント失敗が生じているか否かを決定する、上記〔２３〕記載の装置。
〔２５〕前記受信機は、ＭＬＣ失敗が生じていなかった場合、ＲＦモニタリングサブルーチンを実行する、上記〔２４〕記載の装置。
〔２６〕前記プロセッサは、１つ以上のＭＬＣ失敗が検出された場合、ＲＦルックアップテーブルを更新し、ハンドオフフラグ発生サブルーチンを実行する、上記〔２４〕記載の装置。
〔２７〕前記プロセッサは、前記ハンドオフフラグによって識別される、宛先ＲＦと、宛先ワイドエリア識別子と、宛先ローカルエリア識別子とのうちの少なくとも１つに切り替える、上記〔２６〕記載の装置。
〔２８〕ワイヤレス通信装置であって、
現在のチャネルに対する信号品質を測定する手段と、
前記測定された信号品質が、予め定められたしきい値よりもより上であるか否かを決定する手段と、
少なくとも１つの隣接チャネルの信号品質を監視する手段と、
前記現在のチャネルの信号品質と、前記少なくとも１つの隣接チャネルの信号品質とに少なくとも部分的に基づいて、ハンドオフフラグを発生させる手段とを具備するワイヤレス通信装置。
〔２９〕前記信号品質は、受信信号強度インジケータ（ＲＳＳＩ)、信号対干渉プラスノイズ比またはサイクリックプレフィックス（ＣＰ）相関のうちの少なくとも１つを含む、上記〔２８〕記載の装置。
〔３０〕測定されたＲＳＳＩが、前記予め定められたしきい値よりもより上である場合、ＲＦモニタリングをディセーブルし、前記測定されたＲＳＳＩが、前記予め決められたしきい値よりもより低い、または、前記予め決められたしきい値に等しい場合、ＲＦモニタリングをイネーブルする手段をさらに具備する、上記〔２８〕記載の装置。
〔３１〕１つ以上のマルチレベルコード化された（ＭＬＣ）セグメント失敗が生じているか否かを決定する手段をさらに具備する、上記〔２８〕記載の装置。
〔３２〕ＭＬＣ失敗が生じていなかった場合、「ＭＬＣ成功」ＲＦモニタリングサブルーチンを実行する手段をさらに具備する、上記〔３１〕記載の装置。
〔３３〕１つ以上のＭＬＣ失敗が検出された場合、ＲＦルックアップテーブルを更新し、前記アクセス端末の、新しいＲＦへの間近なハンドオフを示すハンドオフフラグを発生させる手段をさらに具備する、上記〔３２〕記載の装置。
〔３４〕前記ハンドオフフラグによって識別される、宛先ＲＦと、宛先ワイドエリア識別子と、宛先ローカルエリア識別子とのうちの少なくとも１つへと、前記アクセス端末をハンドオフする手段をさらに具備する、上記〔３３〕記載の装置。
〔３５〕ＭＬＣ失敗時にタイムアウト論理を開始する手段と、ＲＦモニタリングをイネーブルする手段と、前記１つ以上のＭＬＣセグメントに対するＯＩＳ情報を取得する手段とをさらに具備する、上記〔３１〕記載の装置。
〔３６〕１つ以上の失敗が検出された場合、ＲＦモニタリングサブルーチンを開始する手段と、ＲＦルックアップテーブルを更新する手段と、関係するアクセス端末が新しいＲＦへとハンドオフされることになることを示すハンドオフフラグを発生させる手段とをさらに具備する、上記〔３５〕記載の装置。
〔３７〕前記ハンドオフフラグによって識別される、宛先ＲＦと、宛先ワイドエリア識別子と、宛先ローカルエリア識別子とのうちの少なくとも１つへと、前記アクセス端末をハンドオフする手段をさらに具備する、上記〔２８〕記載の装置。
〔３８〕ＯＩＳ失敗が生じているか否かを決定する手段をさらに具備する、上記〔２８〕記載の装置。
〔３９〕ＯＩＳ失敗が生じていなかった場合、バックグラウンドＲＦモニタリングプロトコルを開始する手段をさらに具備する、上記〔３８〕記載の装置。
〔４０〕ＯＩＳ失敗が生じていた場合、ＯＩＳ失敗タイムアウト論理を実現する手段をさらに具備する、上記〔３８〕記載の装置。
〔４１〕前記監視されたＲＦに関連する情報を有するＲＦルックアップテーブルを更新する手段と、前記ＲＦルックアップテーブルにしたがって、現在のＲＦから、最高のＲＳＳＩ値を持つ最適なＲＦへと、アクセス端末をハンドオフする手段をさらに具備する、上記〔４０〕記載の装置。
〔４２〕現在のチャネルに対する信号品質を測定するためのコンピュータ実行可能な命令と、
前記測定された信号品質が、予め定められたしきい値よりもより上であるか否かを決定するためのコンピュータ実行可能な命令と、
少なくとも１つの隣接チャネルの信号品質を監視するためのコンピュータ実行可能な命令と、
前記現在のチャネルの信号品質と、前記少なくとも１つの隣接チャネルの信号品質とに少なくとも部分的に基づいて、ハンドオフフラグを発生させるためのコンピュータ実行可能な命令とを含むコンピュータプログラムを有するコンピュータ読み取り可能媒体。
〔４３〕前記信号品質は、受信信号強度インジケータ（ＲＳＳＩ)、信号対干渉プラスノイズ比またはサイクリックプレフィックス（ＣＰ）相関のうちの少なくとも１つを含む、上記〔４２〕記載のコンピュータ読み取り可能媒体。
〔４４〕測定されたＲＳＳＩが、前記予め定められたしきい値よりもより上であった場合、ＲＦモニタリングをディセーブルするための命令と、
前記測定されたＲＳＳＩが、前記予め定められたしきい値よりもより低い、または、前記予め定められたしきい値に等しい場合、ＲＦモニタリングをイネーブルするための命令とをさらに含む、上記〔４２〕記載のコンピュータ読み取り可能媒体。
〔４５〕１つ以上のマルチレベルコード化（ＭＬＣ）セグメント失敗が生じているか否かを決定するための命令をさらに含む、上記〔４２〕記載のコンピュータ読み取り可能媒体。
〔４６〕ＭＬＣ失敗が生じていなかった場合、「ＭＬＣ成功」ＲＦモニタリングサブルーチンを実行するための命令をさらに含む、上記〔４５〕記載のコンピュータ読み取り可能媒体。
〔４７〕１つ以上のＭＬＣ失敗が検出された場合、ＲＦルックアップテーブルを更新し、前記アクセス端末の、新しいＲＦへの間近なハンドオフを示すハンドオフフラグを発生させるための命令をさらに含む、上記〔４６〕記載のコンピュータ読み取り可能媒体。
〔４８〕前記ハンドオフフラグによって識別される、宛先ＲＦと、宛先ワイドエリア識別子と、宛先ローカルエリア識別子とのうちの少なくとも１つへと、前記アクセス端末をハンドオフするための命令をさらに含む、上記〔４７〕記載のコンピュータ読み取り可能媒体。
〔４９〕ＭＬＣ失敗時にタイムアウト論理を開始するための命令と、ＲＦモニタリングをイネーブルするための命令と、前記１つ以上のＭＬＣセグメントに対するＯＩＳ情報を取得するための命令とをさらに含む、上記〔４５〕記載のコンピュータ読み取り可能媒体。
〔５０〕１つ以上のＭＬＣ失敗が検出された場合、ＲＦモニタリングサブルーチンを開始するための命令と、ＲＦルックアップテーブルを更新するための命令と、関係するアクセス端末が新しいＲＦ端末へとハンドオフされることになることを示すハンドオフフラグを発生させる命令とをさらに含む、上記〔４９〕記載のコンピュータ読み取り可能媒体。
〔５１〕前記ハンドオフフラグによって示される、宛先ＲＦと、宛先ワイドエリア識別子と、宛先ローカルエリア識別子とのうちの少なくとも１つへと、前記アクセス端末をハンドオフするための命令をさらに含む、上記〔５０〕記載のコンピュータ読み取り可能媒体。
〔５２〕ＯＩＳ失敗が生じているか否かを決定するための命令をさらに含む、上記〔４２〕記載のコンピュータ読み取り可能媒体。
〔５３〕ＯＩＳ失敗が生じていなかった場合、バックグラウンドＲＦモニタリングプロトコルを開始するための命令をさらに含む、上記〔５２〕記載のコンピュータ読み取り可能媒体。
〔５４〕ＯＩＳ失敗が生じていた場合、ＯＩＳ失敗タイムアウト論理を実現するための命令をさらに含む、上記〔５２〕記載のコンピュータ読み取り可能媒体。
〔５５〕前記監視されたＲＦに関連する情報を有するＲＦルックアップテーブルを更新するための命令と、前記ＲＦルックアップテーブルにしたがって、現在のＲＦから、最高のＲＳＳＩ値を持つ最適なＲＦへと、アクセス端末をハンドオフするための命令とをさらに含む、上記〔５４〕記載のコンピュータ読み取り可能媒体。
〔５６〕ワイヤレス通信環境におけるスループットを増加させるための命令を実行するプロセッサであって、
前記命令は、
現在のチャネルに対する信号品質を測定することと、
前記測定された信号品質が、予め定められたしきい値よりもより上であるか否かを決定することと、
少なくとも１つの隣接チャネルの信号品質を監視することと、
デコーダエラーレートに、または、前記現在のチャネルの信号品質と前記少なくとも１つの隣接チャネルの信号品質とに少なくとも部分的に基づいて、ハンドオフフラグを発生させることとを含むプロセッサ。
〔５７〕前記信号品質は、受信信号強度インジケータ（ＲＳＳＩ)、信号対干渉プラスノイズ比またはサイクリックプレフィックス（ＣＰ）相関のうちの少なくとも１つを含む、上記〔５６〕記載のプロセッサ。
〔５８〕前記命令は、測定されたＲＳＳＩが、前記予め定められたしきい値よりもより上である場合、ＲＦモニタリングをディセーブルすることと、前記測定されたＲＳＳＩが、前記予め定められたしきい値よりもより低い、または、前記予め定められたしきい値に等しい場合、ＲＦモニタリングをイネーブルすることとをさらに含む、上記〔５６〕記載のプロセッサ。
〔５９〕前記命令は、１つ以上のマルチレベルコード化（ＭＬＣ）セグメント失敗が生じているか否かを決定することをさらに含む、上記〔５６〕記載のプロセッサ。
〔６０〕前記命令は、ＭＬＣ失敗が生じていなかった場合、「ＭＬＣ成功」ＲＦモニタリングサブルーチンを実行することをさらに含む、上記〔５９〕記載のプロセッサ。
〔６１〕前記命令は、１つ以上のＭＬＣ失敗が検出された場合、ＲＦルックアップテーブルを更新し、前記アクセス端末の、新しいＲＦへの間近なハンドオフを示すハンドオフフラグを発生させることをさらに含む、上記〔６０〕記載のプロセッサ。
〔６２〕前記命令は、前記ハンドオフフラグによって識別される、宛先ＲＦと、宛先ワイドエリア識別子と、宛先ローカルエリア識別子とのうちの少なくとも１つへと、前記アクセス端末をハンドオフすることをさらに含む、上記〔６１〕記載のプロセッサ。
〔６３〕前記命令は、ＭＬＣ失敗時にタイムアウト論理を開始することと、ＲＦモニタリングをイネーブルにすることと、前記１つ以上のＭＬＣセグメントに対するＯＩＳ情報を取得することとをさらに含む、上記〔５９〕記載のプロセッサ。
〔６４〕前記命令は、１つ以上のＭＬＣ失敗が検出された場合、ＲＦモニタリングサブルーチンを開始することと、ＲＦルックアップテーブルを更新することと、前記関係するアクセス端末が新しいＲＦにハンドオフされることになることを示すハンドオフフラグを発生させることとをさらに含む、上記〔６３〕記載のプロセッサ。
〔６５〕前記命令は、ハンドオフフラグによって示される、宛先ＲＦと、宛先ワイドエリア識別子と、宛先ローカルエリア識別子とのうちの少なくとも１つへと、前記アクセス端末をハンドオフすることをさらに含む、上記〔６４〕記載のプロセッサ。
〔６６〕前記命令は、ＯＩＳ失敗が生じているか否かを決定することをさらに含む、上記〔５６〕記載のプロセッサ。
〔６７〕前記命令は、ＯＩＳ失敗が生じていなかった場合、バックグラウンドＲＦプロトコルを開始することをさらに含む、上記〔６６〕記載のプロセッサ。
〔６８〕前記命令は、ＯＩＳ失敗が生じていた場合、ＯＩＳ失敗タイムアウト論理を実現することをさらに含む、上記〔６６〕記載のプロセッサ。
〔６９〕前記命令は、前記監視されたＲＦに関する情報を有するＲＦルックアップテーブルを更新することと、前記ＲＦルックアップテーブルにしたがって、現在のＲＦから、最高のＲＳＳＩ値を持つ最適ＲＦへと、前記アクセス端末をハンドオフすることとをさらに含む、上記〔６８〕記載のプロセッサ。
【国際調査報告】
2010534984.tif 000015
2010534984.tif 000016
2010534984.tif 000017